(57)【要約】【課題】  本画像と同じアスペクト比の表示形式で縮小画像の再生を可能とし、本画像と異なるアスペクト比の表示形式でも縮小画像を見栄え良く再生できる画像ファイルを生成する手段を提供する。また、本画像と同じアスペクト比の表示形式で縮小画像を見映え良く再生できる手段を提供する。【解決手段】  撮像部は被写体像を撮像して本画像を生成する。撮影設定部は、本画像の記録画素数を設定するとともに、本画像のアスペクト比を記録画素数が最大となる画像サイズに対応する第１アスペクト比と、第１アスペクト比と異なる第２アスペクト比とのいずれかに設定する。縮小画像生成部は、本画像を第２アスペクト比とした場合に、第２アスペクト比を維持しつつ本画像を縮小した縮小画像を含む第１アスペクト比の第１画像を生成する。画像ファイル生成部は、本画像のデータと、第１画像のデータと、本画像のアスペクト比を示す第１管理データとを含む画像ファイルを生成する。【選択図】  図１
2007274661.tif 000002
【特許請求の範囲】
【請求項１】
被写体像を撮像して本画像を生成する撮像部と、
前記本画像の記録画素数を設定するとともに、前記本画像のアスペクト比を前記記録画素数が最大となる画像サイズに対応する第１アスペクト比と、前記第１アスペクト比と異なる第２アスペクト比とのいずれかに設定する撮影設定部と、
前記本画像を前記第２アスペクト比で生成する場合に、アスペクト比を前記第２アスペクト比に維持しつつ前記本画像を縮小した縮小画像を含んだ前記第１アスペクト比の第１画像を生成する縮小画像生成部と、
前記第２アスペクト比の前記本画像のデータと、前記第１アスペクト比の前記第１画像のデータと、前記本画像が前記第２アスペクト比であることを示す第１管理データとを含む第１画像ファイルを生成する画像ファイル生成部と、
を備えることを特徴とする撮像装置。
【請求項２】
請求項１に記載の撮像装置において、
前記縮小画像生成部は、前記本画像を前記第１アスペクト比で生成する場合に、アスペクト比を前記第１アスペクト比に維持しつつ前記本画像を縮小して第２画像を生成し、
前記画像ファイル生成部は、前記第１アスペクト比である前記本画像のデータと、前記第１アスペクト比である前記第２画像のデータと、前記本画像が前記第１アスペクト比であることを示す第２管理データとを含む第２画像ファイルを生成することを特徴とする撮像装置。
【請求項３】
請求項１に記載の撮像装置において、
前記本画像を前記第２アスペクト比で生成する場合に、前記撮像部は、前記第２アスペクト比の前記本画像を含んだ前記第１アスペクト比の撮影画像を生成し、
前記縮小画像生成部は、前記撮影画像を縮小して前記第１画像を生成することを特徴とする撮像装置。
【請求項４】
請求項１に記載の撮像装置において、
前記縮小画像生成部は、前記第１画像のうちの前記縮小画像以外の部分に、前記縮小画像が前記第２アスペクト比であることを示すマークを付加することを特徴とする撮像装置。
【請求項５】
請求項１に記載の撮像装置において、
前記第１画像は、ＤＣＦ規格に準拠したサムネイル画像および撮像装置の画像表示装置への表示に使用される表示用画像の少なくとも一方であることを特徴とする撮像装置。
【請求項６】
第２アスペクト比の本画像のデータと、アスペクト比を前記第２アスペクト比に維持しつつ前記本画像を縮小した縮小画像を含むとともに前記第２アスペクト比と異なる第１アスペクト比に設定された第１画像のデータと、前記本画像が前記第２アスペクト比であることを示す第１管理データとを含む第１画像ファイルと、
前記第１アスペクト比の前記本画像のデータと、アスペクト比を前記第１アスペクト比に維持しつつ前記本画像を縮小した第２画像のデータと、前記本画像が前記第１アスペクト比であることを示す第２管理データとを含む第２画像ファイルとを再生可能な画像再生装置であって、
前記第１画像ファイルおよび前記第２画像ファイルの少なくとも一方のデータを読み込むデータ読込部と、
前記第１管理データまたは前記第２管理データに基づいて、読み込んだ画像ファイルの前記本画像のアスペクト比を判定する判定部と、
前記本画像が前記第２アスペクト比であると前記判定部が判定した場合に、前記第１画像ファイルの前記第１画像から前記縮小画像を切り出して画像表示装置に出力する表示出力部と、
を備えることを特徴とする画像再生装置。
【請求項７】
請求項６に記載の画像再生装置において、
前記表示出力部は、前記本画像が前記第１アスペクト比であると前記判定部が判定した場合に前記第２画像ファイルの前記第２画像を画像表示装置に出力することを特徴とする画像再生装置。
【請求項８】
請求項６に記載の画像再生装置において、
前記第１画像は、ＤＣＦ規格に準拠したサムネイル画像および撮像装置の画像表示装置への表示に使用される表示用画像の少なくとも一方であることを特徴とする画像再生装置。
【請求項９】
第２アスペクト比の本画像のデータと、アスペクト比を前記第２アスペクト比に維持しつつ前記本画像を縮小した縮小画像を含むとともに前記第２アスペクト比と異なる第１アスペクト比に設定された第１画像のデータと、前記本画像が前記第２アスペクト比であることを示す第１管理データとを含む第１画像ファイルと、
前記第１アスペクト比の前記本画像のデータと、アスペクト比を前記第１アスペクト比に維持しつつ前記本画像を縮小した第２画像のデータと、前記本画像が前記第１アスペクト比であることを示す第２管理データとを含む第２画像ファイルとを再生可能な画像再生装置の制御部に対して、
前記第１画像ファイルおよび前記第２画像ファイルの少なくとも一方のデータを前記制御部に読み込む第１ステップと、
前記第１管理データまたは前記第２管理データに基づいて、読み込んだ画像ファイルの前記本画像のアスペクト比を判定する第２ステップと、
前記本画像が前記第２アスペクト比である場合に、前記第１画像ファイルの前記第１画像から前記縮小画像を切り出して画像表示装置に出力する第３ステップと、
を前記制御部に実行させることを特徴とするプログラム。
【請求項１０】
請求項９に記載のプログラムにおいて、
前記本画像が前記第１アスペクト比である場合に、前記第２画像ファイルの前記第２画像を画像表示装置に出力する第４ステップをさらに有することを特徴とするプログラム。
【請求項１１】
被写体像を撮像して本画像を生成する撮像部と、
前記本画像の記録画素数を設定するとともに、前記本画像のアスペクト比を、記録画素数が最大となる画像サイズに対応する第１アスペクト比と、前記第１アスペクト比と異なる第２アスペクト比とのいずれかに設定する撮影設定部と、
前記本画像を前記第２アスペクト比で生成する場合に、アスペクト比を前記第２アスペクト比に維持しつつ前記本画像を縮小した縮小画像を含んだ前記第１アスペクト比の第１画像と、アスペクト比を前記第２アスペクト比に維持しつつ前記本画像を縮小した第２画像とをそれぞれ生成する縮小画像生成部と、
前記本画像のデータと、前記第１画像のデータと、前記第２画像のデータとを含む画像ファイルを生成する画像ファイル生成部と、
を備えることを特徴とする撮像装置。
【請求項１２】
請求項１１に記載の撮像装置において、
前記画像ファイル生成部は、前記第２画像のデータの有無を示す管理データを前記画像ファイルにさらに含めることを特徴とする撮像装置。
【請求項１３】
請求項１１に記載の撮像装置において、
前記第１画像は、ＤＣＦ規格に準拠したサムネイル画像および撮像装置の画像表示装置への表示に使用される表示用画像の少なくとも一方であることを特徴とする撮像装置。
【請求項１４】
請求項１１に記載の撮像装置において、
前記第２画像は、画像表示装置への表示に使用される表示用画像であって、前記画像表示装置の規格に準拠した画像サイズで生成されることを特徴とする撮像装置。
【請求項１５】
請求項１１に記載の撮像装置において、
前記縮小画像生成部は、前記第１画像の生成時に前記縮小画像に余白分のデータを付加して画像サイズを調整することを特徴とする撮像装置。
【請求項１６】
第２アスペクト比の本画像のデータと、アスペクト比を前記第２アスペクト比に維持しつつ前記本画像を縮小した縮小画像を含むとともに前記第２アスペクト比と異なる第１アスペクト比に設定された第１画像のデータと、アスペクト比を前記第２アスペクト比に維持しつつ前記本画像を縮小した第２画像のデータとを含む画像ファイルを再生可能な画像再生装置であって、
前記画像ファイルのデータを読み込むデータ読込部と、
読み込んだ前記画像ファイルにおける前記第２画像のデータの有無を判定する判定部と、
前記第２画像のデータが含まれる場合に前記第２画像を画像表示装置に出力する表示出力部と、
を備えることを特徴とする画像再生装置。
【請求項１７】
請求項１６に記載の画像再生装置において、
前記画像ファイルが前記第２画像のデータの有無を示す管理データをさらに含むとともに、
前記判定部は前記管理データに基づいて前記判定を行うことを特徴とする撮像装置。
【請求項１８】
請求項１６に記載の画像再生装置において、
前記第１画像は、ＤＣＦ規格に準拠したサムネイル画像および撮像装置の画像表示装置への表示に使用される表示用画像の少なくとも一方であることを特徴とする画像再生装置。
【請求項１９】
請求項１６に記載の画像再生装置において、
前記画像表示装置の表示アスペクト比を検出する検出部をさらに備え、
前記表示出力部は、前記表示アスペクト比に応じて、前記第１画像および前記第２画像のいずれかから前記画像表示装置に出力する画像を選択することを特徴とする画像再生装置。
【請求項２０】
請求項１６に記載の画像再生装置において、
表示画像のアスペクト比を指定する入力をユーザーから受け付ける操作部をさらに備え、
前記表示出力部は、前記入力に応じて、前記第１画像および前記第２画像のいずれかから前記画像表示装置に出力する画像を選択することを特徴とする画像再生装置。
【請求項２１】
第２アスペクト比の本画像のデータと、アスペクト比を維持しつつ前記本画像を縮小した縮小画像を含むとともに前記第２アスペクト比と異なる第１アスペクト比に設定された第１画像のデータと、前記本画像をアスペクト比を維持しつつ縮小した第２画像のデータとを含む画像ファイルを再生可能な画像再生装置の制御部に対して、
前記画像ファイルのデータを前記制御部に読み込む第１ステップと、
読み込んだ前記画像ファイルにおける前記第２画像のデータの有無を判定する第２ステップと、
前記第２画像のデータが含まれる場合に前記第２画像を画像表示装置に出力する第３ステップと、
を前記制御部に実行させることを特徴とするプログラム。
【請求項２２】
請求項２１に記載のプログラムにおいて、
前記画像ファイルが前記第２画像のデータの有無を示す管理データをさらに含むとともに、
前記第２ステップで、前記管理データに基づいて前記判定が行なわれることを特徴とするプログラム。
【請求項２３】
被写体像を撮像して本画像を生成する撮像部と、
前記本画像の記録画素数を設定するとともに、前記本画像のアスペクト比を前記記録画素数が最大となる画像サイズに対応する第１アスペクト比と、前記第１アスペクト比と異なる第２アスペクト比とのいずれかに設定する撮影設定部と、
前記本画像を前記第２アスペクト比で生成する場合に、アスペクト比を前記第２アスペクト比に維持しつつ前記本画像を縮小した縮小画像を含んだ前記第１アスペクト比の第１画像と、アスペクト比を前記第２アスペクト比に維持しつつ前記本画像を縮小した第２画像とを生成する縮小画像生成部と、
第１本画像ファイルおよび第１縮小画像ファイルを生成する画像ファイル生成部と、を備え、
前記第１本画像ファイルは、前記第２アスペクト比である前記本画像のデータと、前記第１アスペクト比の前記第１画像のデータとを含み、
前記第１縮小画像ファイルは、前記第２アスペクト比である前記第２画像のデータを含むことを特徴とする撮像装置。
【請求項２４】
請求項２３に記載の撮像装置において、
前記縮小画像生成部は、前記本画像を前記第１アスペクト比で生成する場合に、アスペクト比を前記第１アスペクト比に維持しつつ前記本画像を縮小した第３画像を生成し、
前記画像ファイル生成部は、前記第１アスペクト比である前記本画像のデータと、前記第１アスペクト比である前記第３画像のデータとを含む第２本画像ファイルを生成することを特徴とする撮像装置。
【請求項２５】
請求項２４に記載の撮像装置において、
前記縮小画像生成部は、前記本画像を前記第１アスペクト比で生成する場合に、アスペクト比を前記第１アスペクト比に維持しつつ前記本画像を縮小した縮小画像を含んだ前記第２アスペクト比の第４画像をさらに生成し、
前記画像ファイル生成部は、前記第２アスペクト比である前記第４画像のデータを含む第２縮小画像ファイルをさらに生成することを特徴とする撮像装置。
【請求項２６】
請求項２４に記載の撮像装置において、
前記縮小画像生成部は、前記本画像を前記第１アスペクト比で生成する場合に、アスペクト比を前記第１アスペクト比に維持しつつ前記本画像を縮小した第５画像をさらに生成し、
前記画像ファイル生成部は、前記第１アスペクト比である前記第５画像のデータを含む第２縮小画像ファイルをさらに生成することを特徴とする撮像装置。
【請求項２７】
請求項２３または請求項２４に記載の撮像装置において、
前記第１画像および前記第３画像は、ＤＣＦ規格に準拠したサムネイル画像および撮像装置の画像表示装置への表示に使用される表示用画像の少なくとも一方であることを特徴とする撮像装置。
【請求項２８】
請求項２３または請求項２５に記載の撮像装置において、
前記第２画像および前記第４画像は、画像表示装置への表示に使用される表示用画像であって、前記画像表示装置の規格に準拠した画像サイズで生成されることを特徴とする撮像装置。
【請求項２９】
請求項２３または請求項２５に記載の撮像装置において、
前記画像ファイル生成部は、前記第１本画像ファイルと前記第１縮小画像ファイルとを対応付けする第１関連化処理と、前記第２本画像ファイルと前記第２縮小画像ファイルとを対応付けする第２関連化処理とのいずれかをさらに実行することを特徴とする撮像装置。
【請求項３０】
請求項２９に記載の撮像装置において、
前記画像ファイル生成部は、前記第１関連化処理では前記第１縮小画像ファイルの存在を示す第１管理データを前記第１本画像ファイルに含め、前記第２関連化処理では前記第２縮小画像ファイルの存在を示す第２管理データを前記第２本画像ファイルに含めることを特徴とする撮像装置。
【請求項３１】
請求項２９に記載の撮像装置において、
前記画像ファイル生成部は、前記第１関連化処理では前記第１本画像ファイルとの関連性を示すファイル名を前記第１縮小画像ファイルに付与し、前記第２関連化処理では前記第２本画像ファイルとの関連性を示すファイル名を前記第２縮小画像ファイルに付与することを特徴とする撮像装置。
【請求項３２】
請求項２９に記載の撮像装置において、
前記第１本画像ファイルと前記第２本画像ファイルとの少なくとも一方を記録する第１フォルダと、前記第１縮小画像ファイルと前記第２縮小画像ファイルとの少なくとも一方を記録する第２フォルダとを有する記録部をさらに備え、
前記画像ファイル生成部は、前記第１関連化処理では、前記第１本画像ファイルを前記第１フォルダに記録するとともに前記第１縮小画像ファイルを前記第２フォルダに記録し、前記第２関連化処理では、前記第２本画像ファイルを前記第１フォルダに記録するとともに前記第２縮小画像ファイルを前記第２フォルダに記録することを特徴とする撮像装置。
【請求項３３】
第１本画像ファイルと、前記第１本画像ファイルと対応付けされた第１縮小画像ファイルと、第２本画像ファイルと、前記第２本画像ファイルと対応付けされた第２縮小画像ファイルとを再生可能な画像再生装置であって、
前記第１本画像ファイルが、第２アスペクト比の第１本画像のデータと、アスペクト比を前記第２アスペクト比に維持しつつ前記第１本画像を縮小した縮小画像を含むとともに前記第２アスペクト比と異なる第１アスペクト比に設定された第１画像のデータとを含み、
前記第１縮小画像ファイルが、アスペクト比を前記第２アスペクト比に維持しつつ前記第１本画像を縮小した第２画像のデータを含み、
前記第２本画像ファイルが、前記第１アスペクト比の第２本画像のデータと、アスペクト比を前記第１アスペクト比に維持しつつ前記第２本画像を縮小した第３画像のデータとを含み、
前記第２縮小画像ファイルが、アスペクト比を前記第１アスペクト比に維持しつつ前記第２本画像を縮小した縮小画像を含んだ前記第２アスペクト比の第４画像のデータを含むときに、
前記第１本画像ファイル、前記第１縮小画像ファイル、前記第２本画像ファイルおよび前記第２縮小画像ファイルのデータを読み込むデータ読込部と、
前記第１縮小画像ファイルおよび前記第２縮小画像ファイルの有無を判定する判定部と、
前記第１縮小画像ファイルまたは前記第２縮小画像ファイルがあると前記判定部が判定した場合に、前記第２アスペクト比の縮小画像再生時に前記第２画像または前記第４画像のデータを画像表示装置に出力する表示出力部と、
を備えることを特徴とする画像再生装置。
【請求項３４】
請求項３３に記載の画像再生装置において、
前記第１本画像ファイルが、前記第１縮小画像ファイルの存在を示す第１管理データをさらに含み、前記第２本画像ファイルが、前記第２縮小画像ファイルの存在を示す第２管理データをさらに含み、
前記判定部は、前記第１縮小画像ファイルの有無を前記第１管理データに基づいて判定し、前記第２縮小画像ファイルの有無を前記第２管理データに基づいて判定することを特徴とする画像再生装置。
【請求項３５】
請求項３３に記載の画像再生装置において、
前記第１縮小画像ファイルは、前記第１本画像ファイルとの関連性を示すファイル名を有し、前記第２縮小画像ファイルは、前記第２本画像ファイルとの関連性を示すファイル名を有し、
前記第１縮小画像ファイルおよび前記第２縮小画像ファイルの少なくとも一方を前記ファイル名に基づいて検出するファイル検出部をさらに備え、
前記判定部は、前記ファイル検出部の検出結果に基づいて、前記第１縮小画像ファイルおよび前記第２縮小画像ファイルの有無を判定することを特徴とする画像再生装置。
【請求項３６】
請求項３３に記載の画像再生装置において、
前記データ読込部は、前記第１本画像ファイルと前記第２本画像ファイルとの少なくとも一方のデータを含む第１フォルダと、前記第１縮小画像ファイルと前記第２縮小画像ファイルとの少なくとも一方のデータを含む第２フォルダとを有する記録手段から各々のデータを読み込み、
前記判定部は、前記第２フォルダの有無を判定し、
前記表示出力部は、前記第２アスペクト比の縮小画像再生時に前記第２フォルダのデータを前記画像表示装置に出力することを特徴とする画像再生装置。
【請求項３７】
請求項３３から請求項３６のいずれか１項に記載の画像再生装置において、
前記第２画像および前記第４画像は、前記画像表示装置への表示に使用される表示用画像であって、前記画像表示装置の規格に準拠した画像サイズで生成されていることを特徴とする画像再生装置。
【請求項３８】
請求項３３から請求項３６のいずれか１項に記載の画像再生装置において、
前記画像表示装置の表示アスペクト比を検出する検出部をさらに備え、
前記表示出力部は、前記表示アスペクト比に応じて、前記第１アスペクト比である前記第１画像および前記第３画像または前記第２アスペクト比である前記第２画像および前記第４画像のいずれかから前記画像表示装置に出力する画像を選択することを特徴とする画像再生装置。
【請求項３９】
請求項３３から請求項３６のいずれか１項に記載の画像再生装置において、
表示画像のアスペクト比を指定する入力をユーザーから受け付ける操作部をさらに備え、
前記表示出力部は、前記入力に応じて、前記第１アスペクト比である前記第１画像および前記第３画像または前記第２アスペクト比である前記第２画像および前記第４画像のいずれかから前記画像表示装置に出力する画像を選択することを特徴とする画像再生装置。
【請求項４０】
第１本画像ファイルと、前記第１本画像ファイルと対応付けされた第１縮小画像ファイルと、第２本画像ファイルと、前記第２本画像ファイルと対応付けされた第２縮小画像ファイルとを再生可能な画像再生装置の制御部に対して、
前記第１本画像ファイルが、第２アスペクト比の第１本画像のデータと、アスペクト比を前記第２アスペクト比に維持しつつ前記第１本画像を縮小した縮小画像を含むとともに前記第２アスペクト比と異なる第１アスペクト比に設定された第１画像のデータとを含み、
前記第１縮小画像ファイルが、アスペクト比を前記第２アスペクト比に維持しつつ前記第１本画像を縮小した第２画像のデータを含み、
前記第２本画像ファイルが、前記第１アスペクト比の第２本画像のデータと、アスペクト比を前記第１アスペクト比に維持しつつ前記第２本画像を縮小した第３画像のデータとを含み、
前記第２縮小画像ファイルが、アスペクト比を前記第１アスペクト比に維持しつつ前記第２本画像を縮小した縮小画像を含んだ前記第２アスペクト比の第４画像のデータを含むときに、
前記第１本画像ファイル、前記第１縮小画像ファイル、前記第２本画像ファイルおよび前記第２縮小画像ファイルのデータを読み込む第１ステップと、
前記第１縮小画像ファイルおよび前記第２縮小画像ファイルの有無を判定する第２ステップと、
前記第１縮小画像ファイルまたは前記第２縮小画像ファイルがあると前記第２ステップで判定した場合に、前記第２アスペクト比の縮小画像再生時に前記第２画像または前記第４画像のデータを画像表示装置に出力する第３ステップと、
を前記制御部に実行させることを特徴とするプログラム。
【請求項４１】
請求項４０に記載のプログラムにおいて、
前記第１本画像ファイルが、前記第１縮小画像ファイルの存在を示す第１管理データをさらに含み、前記第２本画像ファイルが、前記第２縮小画像ファイルの存在を示す第２管理データをさらに含み、
前記第２ステップでは、前記第１縮小画像ファイルの有無を前記第１管理データに基づいて判定し、前記第２縮小画像ファイルの有無を前記第２管理データに基づいて判定することを特徴とするプログラム。
【請求項４２】
請求項４０に記載のプログラムにおいて、
前記第１縮小画像ファイルは、前記第１本画像ファイルとの関連性を示すファイル名を有し、前記第２縮小画像ファイルは、前記第２本画像ファイルとの関連性を示すファイル名を有し、
前記第１縮小画像ファイルおよび前記第２縮小画像ファイルの少なくとも一方を前記ファイル名に基づいて検出する第４ステップをさらに備え、
前記第２ステップでは、前記第４ステップでの検出結果に基づいて、前記第１縮小画像ファイルおよび前記第２縮小画像ファイルの有無を判定することを特徴とするプログラム。
【請求項４３】
請求項４０に記載のプログラムにおいて、
前記第１ステップでは、前記第１本画像ファイルと前記第２本画像ファイルとの少なくとも一方のデータを含む第１フォルダと、前記第１縮小画像ファイルと前記第２縮小画像ファイルとの少なくとも一方のデータを含む第２フォルダとを有する記録手段から各々のデータを読み込み、
前記第２ステップでは、前記第２フォルダの有無を判定し、
前記第３ステップでは、前記第２アスペクト比の縮小画像再生時に前記第２フォルダのデータを前記画像表示装置に出力することを特徴とするプログラム。
【発明の詳細な説明】
【技術分野】
【０００１】
本発明は、複数のアスペクト比の画像データに対応する撮像装置、画像再生装置およびプログラムに関する。
【背景技術】
【０００２】
近年では、ＨＤＴＶ（High Definition TeleVision）の規格に対応したいわゆるワイドテレビでの表示などを考慮して、９：１６のアスペクト比で本画像を生成する撮影モードを備えた電子カメラが製品化されつつある。
その一方で、電子カメラのＤＣＦ（Design rule for Camera File system）規格では、本画像の縮小画像であるサムネイル画像を３：４のアスペクト比で作成することが規定されている。また、電子カメラのメーカー規格では、サムネイル画像とは別に３：４のアスペクト比の表示用画像を画像ファイルに含める場合もある。したがって、９：１６のアスペクト比で本画像を生成するときには、上記のサムネイル画像などを如何なる形式で生成するかが問題となる。
【０００３】
特許文献１には、９：１６のアスペクト比で本画像を撮影する場合に、アスペクト比を３：４に変換した本画像の縮小画像を用いてＤＣＦ規格のサムネイル画像を生成する電子カメラが開示されている。また、特許文献１には、上記のサムネイル画像を９：１６のアスペクト比に再変換して表示する映像出力方法も開示されている。
【特許文献１】特開２００５−１０９９２７号公報
【発明の開示】
【発明が解決しようとする課題】
【０００４】
しかし、特許文献１に示されるサムネイル画像の再生については以下の指摘がされている。すなわち、特許文献１の映像出力方法をサポートしていない画像再生装置では、アスペクト比の再変換処理が行われずにサムネイル画像が再生されるので、左右から押しつぶされたような歪んだ画像が再生されることとなる。したがって、特許文献１の技術では、特有の映像出力方法をサポートした専用の画像再生装置以外では、再生時の表示画像が見苦しくなる点で改善の余地があった。
【０００５】
本発明は上記従来技術の課題を解決するためのものである。本発明の目的は、専用の画像再生装置では本画像と同じアスペクト比の表示形式で縮小画像の再生を可能とし、通常の画像再生装置による本画像と異なるアスペクト比の表示形式でも縮小画像を見映え良く再生できる画像ファイルを生成する手段を提供することである。また、本発明の目的は、本画像と同じアスペクト比の表示形式で縮小画像を見映え良く再生できる手段を提供することである。
【課題を解決するための手段】
【０００６】
本発明の第１の形態に係る撮像装置は、撮像部と、撮影設定部と、縮小画像生成部と、画像ファイル生成部とを備える。撮像部は被写体像を撮像して本画像を生成する。撮影設定部は、本画像の記録画素数を設定するとともに、本画像のアスペクト比を記録画素数が最大となる画像サイズに対応する第１アスペクト比と、第１アスペクト比と異なる第２アスペクト比とのいずれかに設定する。縮小画像生成部は、本画像を第２アスペクト比で生成する場合に、アスペクト比を第２アスペクト比に維持しつつ本画像を縮小した縮小画像を含んだ第１アスペクト比の第１画像を生成する。画像ファイル生成部は、第２アスペクト比の本画像のデータと、第１アスペクト比の第１画像の画像データと、本画像が第２アスペクト比であることを示す第１管理データとを含む第１画像ファイルを生成する。
【０００７】
上記第１の形態の撮像装置では、縮小画像生成部は、本画像を第１アスペクト比で生成する場合に、アスペクト比を第１アスペクト比に維持しつつ本画像を縮小して第２画像を生成する。そして、画像ファイル生成部は、第１アスペクト比である本画像のデータと、第１アスペクト比である第２画像のデータと、本画像が第１アスペクト比であることを示す第２管理データとを含む第２画像ファイルを生成することが好ましい。
【０００８】
上記第１の形態の撮像装置では、本画像を第２アスペクト比で生成する場合に、撮像部は、第２アスペクト比の本画像を含んだ第１アスペクト比の撮影画像を生成する。そして、縮小画像生成部は、撮影画像を縮小して第１画像を生成することが好ましい。
上記第１の形態の撮像装置では、縮小画像生成部は、第１画像のうちの縮小画像以外の部分に、縮小画像が第２アスペクト比であることを示すマークを付加することが好ましい。
【０００９】
上記第１の形態の撮像装置では、第１画像は、ＤＣＦ規格に準拠したサムネイル画像および撮像装置の画像表示装置への表示に使用される表示用画像の少なくとも一方であることが好ましい。
本発明の第２の形態は、第１画像ファイルと、第２画像ファイルとを再生可能な画像再生装置である。ここで、第１画像ファイルは、第２アスペクト比の本画像のデータと、アスペクト比を第２アスペクト比に維持しつつ本画像を縮小した縮小画像を含むとともに第２アスペクト比と異なる第１アスペクト比に設定された第１画像のデータと、本画像が第２アスペクト比であることを示す第１管理データとを含む。また、第２画像ファイルは、第１アスペクト比の本画像のデータと、アスペクト比を第１アスペクト比に維持しつつ本画像を縮小した第２画像のデータと、本画像が第１アスペクト比であることを示す第２管理データとを含む。そして、画像再生装置は、データ読込部と、判定部と、表示出力部とを備える。データ読込部は、第１画像ファイルおよび第２画像ファイルの少なくとも一方のデータを読み込む。判定部は、第１管理データまたは第２管理データに基づいて、読み込んだ画像ファイルの本画像のアスペクト比を判定する。表示出力部は、本画像が第２アスペクト比であると判定部が判定した場合に、第１画像ファイルの第１画像から縮小画像を切り出して画像表示装置に出力する。
【００１０】
上記第２の形態の画像再生装置では、表示出力部は、本画像が第１アスペクト比であると判定部が判定した場合に第２画像ファイルの第２画像を画像表示装置に出力することが好ましい。
上記第２の形態の画像再生装置では、第１画像は、ＤＣＦ規格に準拠したサムネイル画像および撮像装置の画像表示装置への表示に使用される表示用画像の少なくとも一方であることが好ましい。
【００１１】
本発明の第３の形態は、第１画像ファイルと、第２画像ファイルとを再生可能な画像再生装置の制御部が実行するプログラムである。ここで、第１画像ファイルは、第２アスペクト比の本画像のデータと、アスペクト比を第２アスペクト比に維持しつつ本画像を縮小した縮小画像を含むとともに第２アスペクト比と異なる第１アスペクト比に設定された第１画像のデータと、本画像が第２アスペクト比であることを示す第１管理データとを含む。第２画像ファイルは、第１アスペクト比の本画像のデータと、アスペクト比を第１アスペクト比に維持しつつ本画像を縮小した第２画像のデータと、本画像が第１アスペクト比であることを示す第２管理データとを含む。そして、プログラムは、第１画像ファイルおよび第２画像ファイルの少なくとも一方のデータを制御部に読み込む第１ステップと、第１管理データまたは第２管理データに基づいて、読み込んだ画像ファイルの本画像のアスペクト比を判定する第２ステップと、本画像が第２アスペクト比である場合に、第１画像ファイルの第１画像から縮小画像を切り出して画像表示装置に出力する第３ステップとを制御部に実行させる。
【００１２】
上記第３の形態のプログラムでは、本画像が第１アスペクト比である場合に、第２画像ファイルの第２画像を画像表示装置に出力する第４ステップをさらに有することが好ましい。
本発明の第４の形態に係る撮像装置は、撮像部と、撮影設定部と、縮小画像生成部と、画像ファイル生成部とを備える。撮像部は被写体像を撮像して本画像を生成する。撮影設定部は、本画像の記録画素数を設定するとともに、本画像のアスペクト比を、記録画素数が最大となる画像サイズに対応する第１アスペクト比と、第１アスペクト比と異なる第２アスペクト比とのいずれかに設定する。縮小画像生成部は、本画像を第２アスペクト比で生成する場合に、アスペクト比を第２アスペクト比に維持しつつ本画像を縮小した縮小画像を含んだ第１アスペクト比の第１画像と、アスペクト比を第２アスペクト比に維持しつつ本画像を縮小した第２画像とをそれぞれ生成する。画像ファイル生成部は、本画像のデータと、第１画像のデータと、第２画像の画像データとを含む画像ファイルを生成する。
【００１３】
上記第４の形態の撮像装置では、画像ファイル生成部は、第２画像のデータの有無を示す管理データを画像ファイルにさらに含めることが好ましい。
上記第４の形態の撮像装置では、第１画像は、ＤＣＦ規格に準拠したサムネイル画像および撮像装置の画像表示装置への表示に使用される表示用画像の少なくとも一方であることが好ましい。
【００１４】
上記第４の形態の撮像装置では、第２画像は、画像表示装置への表示に使用される表示用画像であって、画像表示装置の規格に準拠した画像サイズで生成されることが好ましい。
上記第４の形態の撮像装置では、縮小画像生成部は、第１画像の生成時に縮小画像に余白分のデータを付加して画像サイズを調整することが好ましい。
【００１５】
本発明の第５の形態は、画像ファイルを再生可能な画像再生装置である。ここで、画像ファイルは、第２アスペクト比の本画像のデータと、アスペクト比を第２アスペクト比に維持しつつ本画像を縮小した縮小画像を含むとともに第２アスペクト比と異なる第１アスペクト比に設定された第１画像のデータと、アスペクト比を第２アスペクト比に維持しつつ本画像を縮小した第２画像のデータとを含む。そして、画像再生装置は、データ読込部と、判定部と、表示出力部とを備える。データ読込部は画像ファイルのデータを読み込む。判定部は、読み込んだ画像ファイルにおける第２画像のデータの有無を判定する。表示出力部は、第２画像のデータが含まれる場合に第２画像を画像表示装置に出力する。
【００１６】
上記第５の形態の画像再生装置では、画像ファイルが第２画像のデータの有無を示す管理データをさらに含むとともに、判定部は管理データに基づいて判定を行うことが好ましい。
上記第５の形態の画像再生装置では、第１画像は、ＤＣＦ規格に準拠したサムネイル画像および撮像装置の画像表示装置への表示に使用される表示用画像の少なくとも一方であることが好ましい。
【００１７】
上記第５の形態の画像再生装置は、画像表示装置の表示アスペクト比を検出する検出部をさらに備えてもよい。そして、表示出力部は、表示アスペクト比に応じて、第１画像および第２画像のいずれかから画像表示装置に出力する画像を選択することが好ましい。
上記第５の形態の画像再生装置は、表示画像のアスペクト比を指定する入力をユーザーから受け付ける操作部をさらに備えてもよい。そして、表示出力部は、入力に応じて、第１画像および第２画像のいずれかから画像表示装置に出力する画像を選択することが好ましい。
【００１８】
本発明の第６の形態は、画像ファイルを再生可能な画像再生装置の制御部が実行するプログラムである。ここで、画像ファイルは、第２アスペクト比の本画像のデータと、アスペクト比を維持しつつ本画像を縮小した縮小画像を含むとともに第２アスペクト比と異なる第１アスペクト比に設定された第１画像のデータと、本画像をアスペクト比を維持しつつ縮小した第２画像のデータとを含む。そして、プログラムは、画像ファイルのデータを制御部に読み込む第１ステップと、読み込んだ画像ファイルにおける第２画像のデータの有無を判定する第２ステップと、第２画像のデータが含まれる場合に第２画像を画像表示装置に出力する第３ステップとを制御部に実行させる。
【００１９】
上記第６の形態のプログラムでは、画像ファイルが第２画像のデータの有無を示す管理データをさらに含むとともに、第２ステップで、管理データに基づいて判定が行なわれることが好ましい。
本発明の第７の形態に係る撮像装置は、撮像部と、撮影設定部と、縮小画像生成部と、画像ファイル生成部とを備える。撮像部は被写体像を撮像して本画像を生成する。撮影設定部は、本画像の記録画素数を設定するとともに、本画像のアスペクト比を記録画素数が最大となる画像サイズに対応する第１アスペクト比と、第１アスペクト比と異なる第２アスペクト比とのいずれかに設定する。縮小画像生成部は、本画像を第２アスペクト比で生成する場合に、アスペクト比を第２アスペクト比に維持しつつ本画像を縮小した縮小画像を含んだ第１アスペクト比の第１画像と、アスペクト比を第２アスペクト比に維持しつつ本画像を縮小した第２画像とを生成する。画像ファイル生成部は、第１本画像ファイルおよび第１縮小画像ファイルを生成する。そして、第１本画像ファイルは、第２アスペクト比である本画像のデータと、第１アスペクト比の第１画像のデータとを含む。第１縮小画像ファイルは、第２アスペクト比である第２画像のデータを含む。
【００２０】
上記第７の形態の撮像装置では、縮小画像生成部は、本画像を第１アスペクト比で生成する場合に、アスペクト比を第１アスペクト比に維持しつつ本画像を縮小した第３画像を生成する。そして、画像ファイル生成部は、第１アスペクト比である本画像のデータと、第１アスペクト比である第３画像のデータとを含む第２本画像ファイルを生成することが好ましい。
【００２１】
上記第７の形態の撮像装置では、縮小画像生成部は、本画像を第１アスペクト比で生成する場合に、アスペクト比を第１アスペクト比に維持しつつ本画像を縮小した縮小画像を含んだ第２アスペクト比の第４画像をさらに生成する。そして、画像ファイル生成部は、第２アスペクト比である第４画像のデータを含む第２縮小画像ファイルをさらに生成することが好ましい。
【００２２】
上記第７の形態の撮像装置では、縮小画像生成部は、本画像を第１アスペクト比で生成する場合に、アスペクト比を第１アスペクト比に維持しつつ本画像を縮小した第５画像をさらに生成する。そして、画像ファイル生成部は、第１アスペクト比である第５画像のデータを含む第２縮小画像ファイルをさらに生成することが好ましい。
上記第７の形態の撮像装置では、第１画像および第３画像は、ＤＣＦ規格に準拠したサムネイル画像および撮像装置の画像表示装置への表示に使用される表示用画像の少なくとも一方であることが好ましい。
【００２３】
上記第７の形態の撮像装置では、第２画像および第４画像は、画像表示装置への表示に使用される表示用画像であって、画像表示装置の規格に準拠した画像サイズで生成されることが好ましい。
上記第７の形態の撮像装置では、画像ファイル生成部は、第１本画像ファイルと第１縮小画像ファイルとを対応付けする第１関連化処理と、第２本画像ファイルと第２縮小画像ファイルとを対応付けする第２関連化処理とのいずれかをさらに実行することが好ましい。
【００２４】
特に上記の場合には、画像ファイル生成部は、第１関連化処理では第１縮小画像ファイルの存在を示す第１管理データを第１本画像ファイルに含める。また、第２関連化処理では第２縮小画像ファイルの存在を示す第２管理データを第２本画像ファイルに含めることが好ましい。
特に上記の場合には、画像ファイル生成部は、第１関連化処理では第１本画像ファイルとの関連性を示すファイル名を第１縮小画像ファイルに付与する。また、第２関連化処理では第２本画像ファイルとの関連性を示すファイル名を第２縮小画像ファイルに付与することが好ましい。
【００２５】
特に上記の場合には、第１本画像ファイルと第２本画像ファイルとの少なくとも一方を記録する第１フォルダと、第１縮小画像ファイルと第２縮小画像ファイルとの少なくとも一方を記録する第２フォルダとを有する記録部をさらに備える。そして、画像ファイル生成部は、第１関連化処理では、第１本画像ファイルを第１フォルダに記録するとともに第１縮小画像ファイルを第２フォルダに記録する。また、第２関連化処理では、第２本画像ファイルを第１フォルダに記録するとともに第２縮小画像ファイルを第２フォルダに記録することが好ましい。
【００２６】
本発明の第８の形態は、第１本画像ファイルと、第１本画像ファイルと対応付けされた第１縮小画像ファイルと、第２本画像ファイルと、第２本画像ファイルと対応付けされた第２縮小画像ファイルとを再生可能な画像再生装置である。ここで、第１本画像ファイルは、第２アスペクト比の第１本画像のデータと、アスペクト比を第２アスペクト比に維持しつつ第１本画像を縮小した縮小画像を含むとともに第２アスペクト比と異なる第１アスペクト比に設定された第１画像のデータとを含む。第１縮小画像ファイルは、アスペクト比を第２アスペクト比に維持しつつ第１本画像を縮小した第２画像のデータを含む。第２本画像ファイルは、第１アスペクト比の第２本画像のデータと、アスペクト比を第１アスペクト比に維持しつつ第２本画像を縮小した第３画像のデータとを含む。第２縮小画像ファイルは、アスペクト比を第１アスペクト比に維持しつつ第２本画像を縮小した縮小画像を含んだ第２アスペクト比の第４画像のデータを含む。そして、画像再生装置は、データ読込部と、判定部と、表示出力部とを備える。データ読込部は、第１本画像ファイル、第１縮小画像ファイル、第２本画像ファイルおよび第２縮小画像ファイルのデータを読み込む。判定部は、第１縮小画像ファイルおよび第２縮小画像ファイルの有無を判定する。表示出力部は、第１縮小画像ファイルまたは第２縮小画像ファイルがあると判定部が判定した場合に、第２アスペクト比の縮小画像再生時に第２画像または第４画像のデータを画像表示装置に出力する。
【００２７】
上記第８の形態の画像再生装置では、第１本画像ファイルが、第１縮小画像ファイルの存在を示す第１管理データをさらに含む。第２本画像ファイルが、第２縮小画像ファイルの存在を示す第２管理データをさらに含む。そして、判定部は、第１縮小画像ファイルの有無を第１管理データに基づいて判定し、第２縮小画像ファイルの有無を第２管理データに基づいて判定することが好ましい。
【００２８】
上記第８の形態の画像再生装置では、第１縮小画像ファイルは、第１本画像ファイルとの関連性を示すファイル名を有する。第２縮小画像ファイルは、第２本画像ファイルとの関連性を示すファイル名を有する。また、画像再生装置は、第１縮小画像ファイルおよび第２縮小画像ファイルの少なくとも一方をファイル名に基づいて検出するファイル検出部をさらに備える。そして、判定部は、ファイル検出部の検出結果に基づいて、第１縮小画像ファイルおよび第２縮小画像ファイルの有無を判定することが好ましい。
【００２９】
上記第８の形態の画像再生装置では、データ読込部は、第１本画像ファイルと第２本画像ファイルとの少なくとも一方のデータを含む第１フォルダと、第１縮小画像ファイルと第２縮小画像ファイルとの少なくとも一方のデータを含む第２フォルダとを有する記録手段から各々のデータを読み込む。判定部は、第２フォルダの有無を判定する。そして、表示出力部は、第２アスペクト比の縮小画像再生時に第２フォルダのデータを画像表示装置に出力することが好ましい。
【００３０】
上記第８の形態の画像再生装置では、第２画像および第４画像は、画像表示装置への表示に使用される表示用画像であって、画像表示装置の規格に準拠した画像サイズで生成されていることが好ましい。
上記第８の形態の画像再生装置は、画像表示装置の表示アスペクト比を検出する検出部をさらに備える。そして、表示出力部は、表示アスペクト比に応じて、第１アスペクト比である第１画像および第３画像または第２アスペクト比である第２画像および第４画像のいずれかから画像表示装置に出力する画像を選択することが好ましい。
【００３１】
上記第８の形態の画像再生装置は、表示画像のアスペクト比を指定する入力をユーザーから受け付ける操作部をさらに備える。そして、表示出力部は、入力に応じて、第１アスペクト比である第１画像および第３画像または第２アスペクト比である第２画像および第４画像のいずれかから画像表示装置に出力する画像を選択することが好ましい。
本発明の第９の形態は、第１本画像ファイルと、第１本画像ファイルと対応付けされた第１縮小画像ファイルと、第２本画像ファイルと、第２本画像ファイルと対応付けされた第２縮小画像ファイルとを再生可能な画像再生装置の制御部が実行するプログラムである。ここで、第１本画像ファイルは、第２アスペクト比の第１本画像のデータと、アスペクト比を第２アスペクト比に維持しつつ第１本画像を縮小した縮小画像を含むとともに第２アスペクト比と異なる第１アスペクト比に設定された第１画像のデータとを含む。第１縮小画像ファイルは、アスペクト比を第２アスペクト比に維持しつつ第１本画像を縮小した第２画像のデータを含む。第２本画像ファイルは、第１アスペクト比の第２本画像のデータと、アスペクト比を第１アスペクト比に維持しつつ第２本画像を縮小した第３画像のデータとを含む。第２縮小画像ファイルは、アスペクト比を第１アスペクト比に維持しつつ第２本画像を縮小した縮小画像を含んだ第２アスペクト比の第４画像のデータを含む。そして、プログラムは、第１本画像ファイル、第１縮小画像ファイル、第２本画像ファイルおよび第２縮小画像ファイルのデータを読み込む第１ステップと、第１縮小画像ファイルおよび第２縮小画像ファイルの有無を判定する第２ステップと、第１縮小画像ファイルまたは第２縮小画像ファイルがあると第２ステップで判定した場合に、第２アスペクト比の縮小画像再生時に第２画像または第４画像のデータを画像表示装置に出力する第３ステップと、を制御部に実行させる。
【００３２】
上記第９の形態のプログラムでは、第１本画像ファイルが、第１縮小画像ファイルの存在を示す第１管理データをさらに含む。第２本画像ファイルが、第２縮小画像ファイルの存在を示す第２管理データをさらに含む。そして、第２ステップでは、第１縮小画像ファイルの有無を第１管理データに基づいて判定し、第２縮小画像ファイルの有無を第２管理データに基づいて判定することが好ましい。
【００３３】
上記第９の形態のプログラムでは、第１縮小画像ファイルは、第１本画像ファイルとの関連性を示すファイル名を有する。第２縮小画像ファイルは、第２本画像ファイルとの関連性を示すファイル名を有する。また、プログラムは、第１縮小画像ファイルおよび第２縮小画像ファイルの少なくとも一方をファイル名に基づいて検出する第４ステップをさらに備える。そして、第２ステップでは、第４ステップでの検出結果に基づいて、第１縮小画像ファイルおよび第２縮小画像ファイルの有無を判定することが好ましい。
【００３４】
上記第９の形態のプログラムでは、第１ステップでは、第１本画像ファイルと第２本画像ファイルとの少なくとも一方のデータを含む第１フォルダと、第１縮小画像ファイルと第２縮小画像ファイルとの少なくとも一方のデータを含む第２フォルダとを有する記録手段から各々のデータを読み込む。第２ステップでは、第２フォルダの有無を判定する。そして、第３ステップでは、第２アスペクト比の縮小画像再生時に第２フォルダのデータを画像表示装置に出力することが好ましい。
【発明の効果】
【００３５】
本発明の撮像装置によれば、専用の画像再生装置では本画像と同じアスペクト比の表示形式で縮小画像の再生を可能とし、通常の画像再生装置による本画像と異なるアスペクト比の表示形式でも縮小画像を見映え良く再生できる画像ファイルを生成できる。
また、本発明の画像再生装置によれば、本画像と同じアスペクト比の表示形式で縮小画像を見映え良く再生できる。
【発明を実施するための最良の形態】
【００３６】
（第１実施形態の説明）
図１は第１実施形態の電子カメラの構成を示すブロック図である。
第１実施形態の電子カメラは、レリーズ時の撮影画像（本画像）のアスペクト比を３：４または９：１６のいずれかに設定できる。第１実施形態では、記録画素数を最大にして本画像を生成すると、本画像の画像サイズが縦２３０４画素×横３０７２画素（アスペクト比３：４）となる電子カメラの例を説明する。また、第１実施形態では、ＤＣＦ規格の基本ファイルであるＥｘｉｆ（Exchangeable image file format for digital still cameras）−ＪＰＥＧ形式の画像ファイルの生成を前提として説明を行う。
【００３７】
電子カメラは、撮影光学系１１と、撮像素子１２と、アナログ処理部１３と、Ａ／Ｄ変換部１４と、タイミングジェネレータ（ＴＧ）１５と、デジタル処理部１６と、色補間処理部１７と、縮小画像生成部１８と、圧縮伸張処理部１９と、メモリ２０と、ＤＭＡ（Direct Memory Access）コントローラ２１と、ＣＰＵ２２と、記録Ｉ／Ｆ２３と、モニタドライバ２４およびモニタ２５と、ＨＤＴＶ出力部２６と、ＳＤＴＶ（Standard Definition TeleVision）出力部２７と、操作部２８と、姿勢センサ２９と、システムバス３０とを有している。なお、デジタル処理部１６、色補間処理部１７、縮小画像生成部１８、圧縮伸張処理部１９、メモリ２０、ＤＭＡコントローラ２１、ＣＰＵ２２、記録Ｉ／Ｆ２３、モニタドライバ２４、ＨＤＴＶ出力部２６およびＳＤＴＶ出力部２７はそれぞれシステムバス３０を介して接続されている。
【００３８】
撮影光学系１１は、ズームレンズやフォーカシングレンズなどを含む複数のレンズ群で構成されている。この撮影光学系１１は被写体からの光束を撮像素子１２の受光面に結像させる役目を果たす。なお、便宜上、図１には撮影光学系１１として１枚のレンズを図示する。
撮像素子１２は、複数の受光素子をマトリックス状に配列した受光面を有する。撮像素子１２は、被写体像を受光素子によって光電変換してアナログの画像信号を生成する。この撮像素子１２の出力はアナログ処理部１３に接続されている。なお、第１実施形態での撮像素子１２の有効画素領域は、縦２３０４画素×横３０７２画素の記録画素数の取得に必要となるイメージエリアと、該イメージエリアの周囲にあるリングピクセルとを含めたサイズとなっている。
【００３９】
また、撮像素子１２の受光素子には、赤色（Ｒ）、緑色（Ｇ）、青色（Ｂ）のいずれかのカラーフィルタが受光面側に配置されている。上記のカラーフィルタは公知のベイヤー配列にしたがって配置されている。そのため、撮像素子１２の各々の受光素子は、カラーフィルタでの色分解によってカラーフィルタの色に対応する画像信号をそれぞれ出力する。例えば、赤色のカラーフィルタの受光素子は、出力値が赤色に関する明るさを示す画像信号を出力する。なお、撮像素子１２に関して、受光素子の配置やカラーフィルタの図示などは省略する。
【００４０】
さらに、本画像の撮影を行うための撮影モードでは、撮像素子１２はレリーズ時に本画像を撮影するとともに、撮影待機時にも所定間隔毎にスルー画像を出力する。上記のスルー画像のデータは、ＣＰＵ２２による各種の演算処理やモニタ２５での表示などに使用される。
アナログ処理部１３は、撮像素子１２の出力に対してアナログ信号処理を施すアナログフロントエンド回路である。このアナログ処理部１３はＣＤＳ回路やゲイン回路を内部に有している。アナログ処理部１３のＣＤＳ回路は、相関二重サンプリングによって撮像素子１２の出力のノイズ成分を低減する。アナログ処理部１３のゲイン回路は、ＣＰＵ２２の指示に基づいて入力信号の利得を増幅する。上記のゲイン回路では、ＩＳＯ感度に相当する撮像感度の調整を行うことができる。
【００４１】
Ａ／Ｄ変換部１４は、アナログ処理部１３から出力されたアナログの画像信号にＡ／Ｄ変換を行う。このＡ／Ｄ変換部１４の出力はデジタル処理部１６に入力される。
ＴＧ１５は、ＣＰＵ２２の指示に基づいて、撮像素子１２、アナログ処理部１３およびＡ／Ｄ変換部１４に対してタイミングパルスを供給する。撮像素子１２、アナログ処理部１３およびＡ／Ｄ変換部１４の駆動タイミングは、ＴＧ１５のタイミングパルスによって制御される。
【００４２】
デジタル処理部１６は、Ａ／Ｄ変換部１４から出力されたデジタルの画像信号に対して、例えばホワイトバランス処理や階調補正処理などの各種の画像処理を行う。
色補間処理部１７は、デジタル処理部１６から出力されたデジタルの画像信号に色補間処理を実行する。上記の撮像素子１２は受光素子に対応する画素毎に１つの色しか得ることができないため、撮像素子１２のＲＡＷデータでは色に関してモザイク状の画像となっている。色補間処理部１７は、周囲の画素から得られる色情報を利用して補間を行うことで、全画素で全ての色（ＲＧＢ）が揃った画像を生成する。例えば、色補間処理部１７は、赤色の画素に対応する緑色のデータを周囲の緑色画素から補間して生成する。同様に色補間処理部１７は、赤色の画素に対応する青色のデータを周囲の青色画素から補間して生成する。
【００４３】
縮小画像生成部１８は、本画像に対応する画像データに基づいて、Ｅｘｉｆ規格のサムネイル画像と、モニタ２５での表示に最適化された表示用画像（ビュー画像）とを生成する。ここで、ビュー画像についてはＥｘｉｆ規格に規定がないため、各々のカメラメーカーはビュー画像の画像データサイズ（画素数および画像のサイズ）を独自に規定できる。もっとも、他機種の電子カメラや再生装置との互換性を確保する必要から、上記のビュー画像は各々のメーカーの規格に準拠した画像データサイズで生成される。なお、サムネイル画像およびビュー画像の画像データサイズについては後述する。
【００４４】
圧縮伸張処理部１９は、画像データを記録時にＪＰＥＧ形式で圧縮する処理や、圧縮された画像データを再生時に伸長する処理を実行する。
メモリ２０は、各種画像処理の前工程や後工程で本画像のデータなどを一時的に記録する。また、メモリ２０はＣＰＵ２２のワークエリアとして使用されるとともに、ユーザーによる電子カメラの各種設定の状態を示すデータを記録することもできる。さらに、メモリ２０には後述の画像サイズテーブルのデータが記録されている。
【００４５】
ＤＭＡコントローラ２１は、ＣＰＵ２２からの要求に基づいて、メモリ２０と各デバイスとの間で行われるＤＭＡ転送を制御する。
ＣＰＵ２２は、シーケンスプログラムに従って電子カメラの各部動作を制御する。また、ＣＰＵ２２は電子カメラの動作に必要となる各種の演算処理（例えば、ＡＦ演算やＡＥ演算など）を実行する。
【００４６】
さらに、ＣＰＵ２２は、Ｅｘｉｆ規格に準拠した画像ファイルの生成を行う。画像ファイルには、本画像のデータと、サムネイル画像のデータと、ビュー画像のデータと、本画像の撮影条件（露光時間、絞り値、撮像感度など）のデータなどを含むヘッダ部とが記録される。なお、画像ファイルに含まれるデータのうち、Ｅｘｉｆ規格で対応していないデータ（ビュー画像のデータなどの特殊なデータ）は、Ｅｘｉｆ規格のＭａｋｅｒＮｏｔｅタグを利用して画像ファイルに格納される。なお、ＣＰＵ２２によるヘッダ部の編集作業および画像ファイルの生成作業は、メモリ２０のワークエリアを利用して行われる。
【００４７】
記録Ｉ／Ｆ２３には記録媒体３１を接続するためのコネクタが形成されている。そして、記録Ｉ／Ｆ２３は、コネクタに接続された記録媒体３１に対して画像ファイルの書き込み／読み込みを実行する。上記の記録媒体３１は、ハードディスクや半導体メモリを内蔵したメモリカードなどで構成される。なお、図１では記録媒体３１の一例としてメモリカードを図示する。
【００４８】
モニタドライバ２４は、ＣＰＵ２２の指示に基づいてモニタ２５に駆動信号を出力することでモニタ２５の表示を制御する。
モニタ２５は、アスペクト比が３：４の液晶モニタで構成されている。例えば、モニタ２５には、画像ファイルに含まれた画像の再生表示および上記のヘッダ部の情報の表示や、設定変更を行うためのメニュー画面の表示などを行うことができる。また、モニタ２５は、上記の撮影モードにおいて、スルー画像を動画表示する電子ビューファインダとしても機能する。
【００４９】
ＨＤＴＶ出力部２６は、ＨＤＴＶ映像信号を電子カメラから外部に出力するための映像端子（例えばＤ端子など）を有している。そして、ＨＤＴＶ出力部２６は、ＨＤＴＶに対応する画像表示装置（不図示）に対して、再生する画像のＨＤＴＶ映像信号を出力する。また、ＨＤＴＶ出力部２６は、映像端子のプラグ挿入検出ピンの出力によって、画像表示装置との接続状態を検出することもできる。
【００５０】
ＳＤＴＶ出力部２７は、ＳＤＴＶ映像信号を電子カメラから外部に出力するための映像端子を有している。そして、ＳＤＴＶ出力部２７は、ＳＤＴＶに対応する画像表示装置（不図示）に対して、再生する画像のＳＤＴＶ映像信号を出力する。
操作部２８は、電子カメラに対するユーザーの各種の操作を受け付ける。操作部２８の出力はＣＰＵ２２に接続されている。この操作部２８には、電源釦、レリーズ釦、十字キーおよび決定釦などが含まれる。電源釦は、電源のオン／オフの入力をユーザーから受け付ける。レリーズ釦は露光動作開始の指示入力をユーザーから受け付ける。十字キーおよび決定釦は、例えば、電子カメラのモード切替操作（撮影モードと再生モードとの切り替え、メニュー画面の立ち上げ）やメニュー画面での入力操作などをユーザーから受け付ける。
【００５１】
姿勢センサ２９は電子カメラの撮影姿勢を検出する。姿勢センサ２９の出力はＣＰＵ２２に接続されている。第１実施形態の姿勢センサ２９は、電子カメラを正位置（または正位置と上下逆の状態）に構えた横位置での撮影姿勢と、電子カメラの右手側または左手側を上にして構えた縦位置での撮影姿勢とを検出できる。なお、姿勢センサ２９が検出した撮影姿勢のデータは、画像ファイルのヘッダ部に記録される。
【００５２】
以下、第１実施形態の電子カメラの動作を説明する。
まず、撮影の前提として、ユーザーはメニュー画面を立ち上げて、上記の画像データサイズの設定を予め電子カメラに入力しておく必要がある。なお、以下に示すメニュー画面での表示処理、動作はいずれもＣＰＵ２２によって制御される。
第１実施形態の電子カメラは、ユーザーが選択可能な画像データサイズを登録した画像サイズテーブルを有している。ユーザーは、メニュー画面で操作部２８を操作することで、画像サイズテーブルから所望の画像データサイズを選択して電子カメラに入力する。これにより、電子カメラに対する画像データサイズの設定が行われる。なお、ユーザーが選択した画像データサイズを示す設定データは、ＣＰＵ２２によってメモリ２０に記録される。
【００５３】
図２に第１実施形態の画像サイズテーブルの一例を示す。第１実施形態では、本画像の画像データサイズを第１サイズから第３サイズの３種類から選択できる。第１サイズでは、本画像が縦２３０４画素×横３０７２画素（アスペクト比３：４）に設定される。第２サイズは、本画像が縦４８０画素×横６４０画素（アスペクト比３：４）に設定される。第３サイズは、本画像が縦１７２８画素×横３０７２画素（アスペクト比９：１６）に設定される。
【００５４】
また、第１サイズから第３サイズのいずれの場合にも、サムネイル画像およびビュー画像の画像データサイズは規定のサイズに統一されている。したがって、第１実施形態の電子カメラで生成したサムネイル画像およびビュー画像のデータは、各々の規格に対応した画像再生装置であれば再生不能となることはない。
具体的に、サムネイル画像の画像データサイズは、Ｅｘｉｆ規格に準拠して縦１２０画素×横１６０画素（アスペクト比３：４）に設定されている。また、第１実施形態では、ビュー画像の画像データサイズは、ＱＶＧＡに対応する縦２４０画素×横３２０画素（アスペクト比３：４）に設定されている。したがって、第１実施形態のサムネイル画像およびビュー画像のデータは、他の電子カメラなどに対する互換性が確保されている。
【００５５】
次に、図２の画像サイズテーブルにおける画像表示サイズを説明する。画像表示サイズは、第１実施形態に固有のファイル形式に対応する画像再生装置でサムネイル画像またはビュー画像を再生表示するときに基準となる画像サイズを示している。なお、画像表示サイズは、本画像のアスペクト比に応じて規定される。
第１サイズおよび第２サイズの場合、本画像のアスペクト比とサムネイル画像およびビュー画像のアスペクト比とが一致している。すなわち、上記の場合には、サムネイル画像およびビュー画像が本画像と同じアスペクト比で生成されているので、再生時には各画像を統一した画像サイズで表示することが好ましい。したがって、上記の場合におけるサムネイル画像およびビュー画像の画像表示サイズは、画像データサイズと同じに設定されている。具体的には、第１サイズおよび第２サイズでのサムネイル画像の画像表示サイズは、縦１２０画素×横１６０画素（アスペクト比３：４）に設定される。同様に、ビュー画像の画像表示サイズは、縦２４０画素×横３２０画素（アスペクト比３：４）に設定される。
【００５６】
一方、第３サイズの場合には、本画像のアスペクト比とサムネイル画像およびビュー画像のアスペクト比とは一致していない。すなわち、上記の場合には、サムネイル画像およびビュー画像を本画像に対応する表示形式で再生表示することが好ましい。したがって、上記の場合にはサムネイル画像およびビュー画像の画像表示サイズを９：１６のアスペクト比となるように設定している。具体的には、第３サイズでのサムネイル画像の画像表示サイズは、縦９０画素×横１６０画素（アスペクト比９：１６）に設定される。同様に、ビュー画像の画像表示サイズは、縦１８０画素×横３２０画素（アスペクト比９：１６）に設定される。なお、第１サイズおよび第３サイズので本画像、サムネイル画像、ビュー画像のサイズを図３に模式的に示す。
【００５７】
次に、第１実施形態における撮影モードの動作を説明する。図４は電子カメラの撮影モードでの動作の一例を示す流れ図である。
ステップ１０１：ユーザーのモード切り替え操作によって電子カメラが撮影モードに設定されると、ＣＰＵ２２はスルー画像の取得を開始する。具体的には、ＣＰＵ２２は、ＴＧ１５、デジタル処理部１６、色補間処理部１７、縮小画像生成部１８を制御して、１／３０秒の周期でスルー画像のデータを逐次生成する。縮小画像生成部１８は、縦２４０画素×横３２０画素の画像サイズでスルー画像のデータを出力する。そして、ＣＰＵ２２はモニタドライバ２４を制御してモニタ２５に上記のスルー画像を動画表示させる。したがって、ユーザーはモニタ２５に表示されたスルー画像によって、撮影構図を決定するためのフレーミングを行うことができる。
【００５８】
ここで、ＣＰＵ２２は、画像データサイズの設定状態に応じて、モニタ２５上でのスルー画像の表示状態を変更する。具体的には、ＣＰＵ２２はメモリ２０の設定データから画像データサイズの設定を取得する。そして、画像データサイズが第１サイズまたは第２サイズである場合には、ＣＰＵ２２はモニタドライバ２４を制御してスルー画像の全体をモニタ２５に表示させる。この場合のモニタ２５には、縦２４０画素×横３２０画素（アスペクト比３：４）のスルー画像が動画表示されることとなる。
【００５９】
一方、画像データサイズが第３サイズである場合には、ＣＰＵ２２はモニタドライバ２４を制御して、画像の上下をトリミングした横長のスルー画像をモニタ２５に表示させる。具体的には、ＣＰＵ２２は、スルー画像の上から３１行目から２１０行目までの領域をモニタ２５に表示するようにモニタドライバ２４を制御する。この場合のモニタ２５には、縦１８０画素×横３２０画素（アスペクト比９：１６）のスルー画像が動画表示されることとなる。これにより、電子カメラは本画像での撮影範囲に対応したスルー画像の表示を行うことができる。
【００６０】
ステップ１０２：ＣＰＵ２２はレリーズ釦が半押しされたか否かを判定する。レリーズ釦が半押しされた場合（ＹＥＳ側）にはＳ１０３に移行する。一方、レリーズ釦が半押しされていない場合（ＮＯ側）には、ＣＰＵ２２はレリーズ釦の半押し操作を待機する。
ステップ１０３：ＣＰＵ２２は公知のコントラスト検出方式のＡＦ制御を実行する。また、ＣＰＵ２２はスルー画像のデータに基づいて公知のＡＥ演算を実行する。このＡＥ演算により、露光時間、絞り値、撮像感度などの撮影条件が決定される。
【００６１】
ステップ１０４：ＣＰＵ２２はレリーズ釦が全押しされたか否かを判定する。レリーズ釦が全押しされた場合（ＹＥＳ側）にはＳ１０５に移行する。一方、レリーズ釦が全押しされていない場合（ＮＯ側）には、ＣＰＵ２２はレリーズ釦の全押し操作を待機する。
ステップ１０５：ＣＰＵ２２は、レリーズ釦の全押しに応じて被写体の撮影を実行する。まず、ＣＰＵ２２は、Ｓ１０３で取得した撮影条件に基づいて、不図示の絞りを調節するとともにアナログ処理部１３でのゲインを設定する。そして、ＣＰＵ２２は、Ｓ１０３で取得した露光時間に基づいてＴＧ１５を介して撮像素子１２を駆動させる。これにより、撮像素子１２によって本画像の画像信号が生成される。なお、第１実施形態では、第１サイズから第３サイズのすべての場合において、ＣＰＵ２２は撮像素子１２を全画素読み出しで駆動させるものとする。
【００６２】
ステップ１０６：ＣＰＵ２２は、Ｓ１０５の撮影で取得した画像信号に基づいて本画像の画像データを生成する。まず、ＣＰＵ２２は、色補間処理部１７に対して画像データへの色補間処理を指示する。色補間処理部１７は、アナログ処理部１３、Ａ／Ｄ変換部１４を通過してメモリ２０にバッファリングされた１画面分の画像データを色補間する。色補間後の画像データはメモリ２０に一時的に記録される。
【００６３】
そして、ＣＰＵ２２は、上記の設定データに基づいて、ユーザーが設定した画像データサイズで本画像の画像データを生成する。第１サイズの場合には、ＣＰＵ２２は色補間後の画像データをそのまま本画像の画像データとする。第２サイズの場合には、ＣＰＵ２２は色補間後の画像データに対して補間処理と間引き処理とを施して本画像の画像データを生成する。また、第３サイズの場合には、ＣＰＵ２２は色補間後の画像データを所定のサイズに切り出して本画像の画像データを生成する。具体的に第３サイズの場合には、ＣＰＵ２２は上記の画像データのうちで上から２８９行目から２０１６行目までの領域の画素を切り出して、縦１７２８画素×横３０７２画素の本画像のデータを生成する。なお、第１実施形態では、圧縮伸張処理部１９が本画像のデータに対してＪＰＥＧ形式の圧縮処理を実行する。
【００６４】
ステップ１０７：ＣＰＵ２２は、縮小画像生成部１８に対してサムネイル画像およびビュー画像の生成を指示する。縮小画像生成部１８は、メモリ２０に記録されている色補間後の画像データに対してアスペクト比を維持しつつ解像度変換を施して、サムネイル画像のデータとビュー画像のデータとを生成する。上記のようにサムネイル画像およびビュー画像はいずれも３：４のアスペクト比で生成される。なお、画像データサイズが第３サイズの場合、サムネイル画像およびビュー画像には、本画像に対応する９：１６のアスペクト比の縮小画像が含まれることとなる。
【００６５】
また、画像データサイズが第３サイズの場合には、本画像のアスペクト比が９：１６であることを示すために、縮小画像生成部１８はサムネイル画像およびビュー画像に対して以下のマークを付加する。
第１に、縮小画像生成部１８は、サムネイル画像およびビュー画像にそれぞれ本画像の範囲を示す表示を付加する（図３参照）。具体的には、縮小画像生成部１８は、サムネイル画像の上から１５行目と１０６行目とに水平方向に延長する破線を画像処理で合成する。同様に、縮小画像生成部１８は、ビュー画像の上から３０行目と２１１行目とに水平方向に延長する破線を画像処理で合成する。これにより、サムネイル画像およびビュー画像を３：４のアスペクト比の状態で再生表示した場合、再生した画像には本画像の範囲が上記の破線で示されることとなる。
【００６６】
第２に、縮小画像生成部１８は、サムネイル画像およびビュー画像に本画像のアスペクト比を示す文字表示を付加する（図３参照）。具体的には、縮小画像生成部１８は、サムネイル画像およびビュー画像において、本画像に含まれない領域（上記の破線で区切られた上側または下側の領域）に９：１６の文字を画像処理で合成する。これにより、サムネイル画像およびビュー画像を３：４のアスペクト比の状態で再生表示した場合、再生した画像には本画像のアスペクト比が示されることとなる。
【００６７】
ステップ１０８：ＣＰＵ２２は、Ｓ１０６で生成された本画像のデータと、Ｓ１０７で生成されたサムネイル画像のデータおよびビュー画像のデータと、ヘッダ部のデータとを関連付けして１つの画像ファイルを生成する。
ここで、ＣＰＵ２２は画像ファイルのヘッダ部に、上記の撮影条件のデータや、各画像のアドレス情報（画像のデータと画像ファイル内のアドレスとの対応関係）などを記録する。また、ＣＰＵ２２は、サムネイル画像およびビュー画像の画像表示サイズのデータ（本画像のアスペクト比を示すデータも兼ねる）もＭａｋｅｒＮｏｔｅタグを利用してヘッダ部に記録する。そして、上記の画像ファイルは最終的に記録媒体３１に記録される。以上で１フレーム分の撮影動作が終了する。なお、ＣＰＵ２２は、その後にＳ１０２に戻って次フレームの撮影を行ってもよい。
【００６８】
次に、第１実施形態における再生モードの動作を説明する。図５は電子カメラの再生モードでの動作の一例を示す流れ図である。この再生モードでの電子カメラは、モニタ２５または外部の画像表示装置（テレビ）に画像ファイルの再生画像を表示することができる。なお、第１実施形態では上記の再生画像をモニタ２５に表示する例を説明する。
ステップ２０１：ユーザーのモード切り替え操作によって電子カメラが再生モードに設定されると、ＣＰＵ２２は複数のサムネイル画像を配置したインデックス画面をモニタ２５に表示する（図６参照）。このインデックス画面では１２フレーム分のサムネイル画像を１画面に表示できる。そして、インデックス画面では、ユーザーは操作部２８によって画面上のアイコンなどを操作して拡大表示を行う画像を電子カメラに指定入力することができる。なお、上記したインデックス画面での表示処理、動作はいずれもＣＰＵ２２によって制御される。
【００６９】
以下、Ｓ２０１での電子カメラの動作を説明する。まず、ＣＰＵ２２は、インデックス画面に表示するサムネイル画像のデータ読み出しを記録Ｉ／Ｆ２３に対して指示する。このとき、記録媒体３１にある画像ファイルが１２個以下であれば、ＣＰＵ２２は全ての画像ファイルからサムネイル画像を取得する。一方、記録媒体３１にある画像ファイルが１２個を超えるときには、ＣＰＵ２２は画像ファイルのヘッダ部を参照して、撮影日時が古い画像ファイルから順に１２フレーム分のサムネイル画像を取得する。
【００７０】
次に、ＣＰＵ２２は、各々のサムネイル画像のデータに基づいて、インデックス画面で表示するためのサムネイル表示データを生成する。ＣＰＵ２２は、画像ファイルのヘッダ部にあるサムネイル画像の画像表示サイズのデータを参照して、以下のようにサムネイル表示データを生成する。
画像表示サイズが縦１２０画素×横１６０画素である場合（または画像表示サイズのデータがヘッダ部にない場合）には、ＣＰＵ２２はサムネイル画像のデータに間引き処理を行って、アスペクト比が３：４となるサムネイル表示データを生成する。
【００７１】
一方、画像表示サイズが縦９０画素×横１６０画素である場合には、ＣＰＵ２２はサムネイル画像のデータのうちから上から１６行目から１０５行目までの領域を切り出す。切り出された画像は、縦９０画素×横１６０画素のサイズで本画像に対応した画像となる。そして、ＣＰＵ２２は、切り出された画像のデータに間引き処理を行って、アスペクト比が９：１６となるサムネイル表示データを生成する。
【００７２】
また、ＣＰＵ２２は、各々の画像ファイルのヘッダ部を参照して本画像の撮影姿勢のデータを取得する。そして、ＣＰＵ２２は、縦位置で撮影されたサムネイル表示データの縦横変換を実行する。
その後、ＣＰＵ２２は、上記のサムネイル表示データに基づいて、モニタドライバ２４内のフレームメモリに画像を書き込む。そして、モニタドライバ２４は、モニタ２５のインデックス画面上に各々のサムネイル画像を表示する。
【００７３】
ここで、図６のインデックス画面において、Ｔ１〜Ｔ３、Ｔ５、Ｔ７、Ｔ８は、画像表示サイズが縦１２０画素×横１６０画素（アスペクト比３：４）のサムネイル画像である。Ｔ１２は、画像表示サイズが縦１２０画素×横１６０画素（アスペクト比３：４）のサムネイル画像に対して縦横変換と縮小処理を施した画像である。また、Ｔ４、Ｔ６、Ｔ９、Ｔ１０は、画像表示サイズが縦９０画素×横１６０画素（アスペクト比９：１６）のサムネイル画像である。Ｔ１１は、画像表示サイズが縦９０画素×横１６０画素（アスペクト比９：１６）のサムネイル画像に対して縦横変換と縮小処理を施した画像である。Ｔ４、Ｔ６、Ｔ９〜Ｔ１１のサムネイル画像では、本画像と同じアスペクト比の縮小画像が表示されている。
【００７４】
ステップ２０２：ＣＰＵ２２は、拡大表示を行うサムネイル画像の指定入力があったか否かを判定する。指定入力がある場合（ＹＥＳ側）にはＳ２０３に移行する。一方、指定入力がない場合（ＮＯ側）には、ＣＰＵ２２はインデックス画面の表示を継続するとともに、ユーザーからの上記指定入力を待機する。
ステップ２０３：ＣＰＵ２２は、Ｓ２０２で指定された画像に対応するビュー画像を単独でモニタ２５に拡大表示する。このＳ２０３では、ＣＰＵ２２はモニタ２５のサイズにあわせた大きさでビュー画像をモニタ２５に表示する（図７参照）。
【００７５】
以下、Ｓ２０３での電子カメラの動作を説明する。まず、ＣＰＵ２２は、ビュー画像のデータ読み出しを記録Ｉ／Ｆ２３に対して指示する。記録Ｉ／Ｆ２３は、記録媒体３１の画像ファイルからビュー画像のデータを読み出す。
次に、ＣＰＵ２２は、ビュー画像のデータに基づいて、モニタ２５に表示するためのビュー画像表示データを生成する。ＣＰＵ２２は、画像ファイルのヘッダ部にあるビュー画像の画像表示サイズのデータを参照して、以下のようにビュー画像表示データを生成する。
【００７６】
画像表示サイズが縦２４０画素×横３２０画素である場合（または画像表示サイズのデータがヘッダ部にない場合）には、ＣＰＵ２２はビュー画像のデータに補間処理を行って、モニタの画素数に適合したアスペクト比が３：４となるビュー画像表示データを生成する。
一方、画像表示サイズが縦１８０画素×横３２０画素である場合には、ＣＰＵ２２はビュー画像のデータのうちから上から３１行目から２１０行目までの領域を切り出す。切り出された画像は、縦１８０画素×横３２０画素のサイズで本画像に対応した画像となる。そして、ＣＰＵ２２は、切り出された画像のデータに補間処理と間引き処理とを行って、アスペクト比が９：１６となるビュー画像表示データを生成する。
【００７７】
また、ＣＰＵ２２は、各々の画像ファイルのヘッダ部を参照して本画像の撮影姿勢のデータを取得する。そして、ＣＰＵ２２は、縦位置で撮影されたビュー画像のデータに対して縦横変換を実行する。
その後、ＣＰＵ２２は、上記のビュー画像表示データに基づいて、モニタドライバ２４内のフレームメモリに画像を書き込む。そして、モニタドライバ２４は、モニタ２５にビュー画像を表示させる。
【００７８】
ここで、図７（ａ）は３：４のアスペクト比のビュー画像を横位置でモニタ２５に表示した状態を示している。図７（ｂ）は９：１６のアスペクト比のビュー画像を横位置でモニタ２５に表示した状態を示している。図７（ｃ）は３：４のアスペクト比のビュー画像を縦位置でモニタ２５に表示した状態を示している。図７（ｄ）は９：１６のアスペクト比のビュー画像を縦位置でモニタ２５に表示した状態を示している。なお、図７（ｅ）は、図７（ｂ）と同じビュー画像をＨＤＴＶ出力部２６からワイドテレビ（アスペクト比９：１６）に出力して表示した状態を示している。
【００７９】
また、第１実施形態において、第３サイズに対応する画像ファイルを他の画像再生装置で再生した場合を説明する。ここでは、Ｅｘｉｆ規格とビュー画像の規格とに対応する一方で、上記した第３サイズでの画像表示をサポートしていない他の電子カメラでの再生を前提として説明を行う。なお、他の電子カメラの主要な構成は、図１に示す電子カメラとほぼ共通するので説明は省略する。
【００８０】
他の電子カメラでは、画像ファイルのヘッダ部に組み込まれた画像表示サイズのデータを読み取ることができず、再生時に画像表示サイズの設定は無視されることとなる。したがって、第１サイズから第３サイズのいずれの場合にも、サムネイル画像およびビュー画像は、各々の規格に準拠したアスペクト比３：４の状態でモニタ２５にそれぞれ表示される。
【００８１】
図８に、他の電子カメラによるインデックス画面の表示例を示す。この図８のインデックス画面で表示されるサムネイル画像（Ｔ１〜Ｔ１２）は、図６のインデックス画面での同符号のサムネイル画像にそれぞれ対応する。図８でのサムネイル画像Ｔ４、Ｔ６、Ｔ９〜Ｔ１１は、図６のように表示画像が９：１６にトリミングされることなく、いずれも３：４のアスペクト比でサムネイル画像の全体が表示されている。したがって、図８のＴ４、Ｔ６、Ｔ９〜Ｔ１１のサムネイル画像では、本画像の縮小画像を含んだ全体画像が表示されることとなる。
【００８２】
図８でのサムネイル画像Ｔ４、Ｔ６、Ｔ９〜Ｔ１１には、画像処理によって加えられた９：１６の文字と、９：１６のアスペクト比である本画像の範囲を示す破線とがいずれも表示されている。そのため、サムネイル画像Ｔ４、Ｔ６、Ｔ９〜Ｔ１１から本画像の状態を推定することも比較的容易である。なお、図８でのサムネイル画像Ｔ１〜３、Ｔ５、Ｔ７、Ｔ８は、図６のインデックス画面とほぼ同様に表示される。
【００８３】
同様に、図９（ａ）は、他の電子カメラにおいて９：１６のアスペクト比のビュー画像を横位置でモニタ２５に表示した状態を示している。図９（ｂ）は、他の電子カメラにおいて９：１６のアスペクト比のビュー画像を縦位置でモニタ２５に表示した状態を示している。図９（ａ）、（ｂ）のいずれの場合も、画像処理によって加えられた９：１６の文字と、９：１６のアスペクト比である本画像の範囲を示す破線とがいずれも表示されている。なお、３：４のアスペクト比のビュー画像の表示は、図７の場合と同様であるので説明を省略する。
【００８４】
（第２実施形態の説明）
次に、第２実施形態の電子カメラによる撮影モードおよび再生モードでの動作をそれぞれ説明する。この第２実施形態の電子カメラは、９：１６のアスペクト比で本画像を撮影する場合に、３：４のアスペクト比のサムネイル画像およびビュー画像と、９：１６のアスペクト比のサムネイル画像およびビュー画像とをそれぞれ生成する点で第１実施形態と相違する。ここで、以下の実施形態の電子カメラにおいて、第１実施形態の電子カメラとほぼ同様の機能を有する構成には同一符号を付して説明を一部省略する。また、以下の実施形態の電子カメラの各動作では第１実施形態との相違点を説明し、第１実施形態との重複説明は省略する。
【００８５】
図１０に第２実施形態の画像サイズテーブルの一例を示す。第２実施形態でも、本画像の画像データサイズを第１サイズから第３サイズの３種類から選択できる。ここで、図１０の画像サイズテーブルでは、本画像の画像データサイズはいずれも図２のテーブルと同じサイズに設定されている。また、図１０の画像サイズテーブルでは、第１サイズおよび第２サイズにおけるサムネイル画像およびビュー画像の画像データサイズも図２のテーブルと同じサイズに設定されている。なお、第２実施形態では画像表示サイズは画像データサイズに対応する。したがって、ＣＰＵ２２は、第１サイズから第３サイズのいずれの場合でも画像表示サイズの設定を行う必要はない。
【００８６】
一方、図１０の画像サイズテーブルでは、第３サイズの場合にサムネイル画像およびビュー画像の画像データサイズがそれぞれ２つずつ設定されている。図１０における第１サムネイル画像と第１ビュー画像の画像データサイズは、図２のテーブルと同じサイズにそれぞれ設定されている。すなわち、第２実施形態の第１サムネイル画像および第１ビュー画像のデータは、他の電子カメラなどに対する互換性が確保されている。したがって、上記の第１サムネイル画像および第１ビュー画像のデータは、各々の規格に対応した画像再生装置であれば再生不能となることはない。
【００８７】
これに対して、第２サムネイル画像および第２ビュー画像は、専用の画像再生装置で表示するためのものである。ここで、第２サムネイル画像の画像データサイズは、縦９０画素×横１６０画素（アスペクト比９：１６）に設定されている。さらに、第２ビュー画像の画像データサイズは、縦３６０画素×横６４０画素（アスペクト比９：１６）に設定されている。この第２ビュー画像の画像データサイズは、画像表示装置の規格に準拠して最適化されたサイズとなっている。なお、第２実施形態での第３サイズの本画像、第１および第２サムネイル画像、第１および第２ビュー画像のサイズを図１１に模式的に示す。
【００８８】
次に、第２実施形態における撮影モードの動作を説明する。ここで、第２実施形態で画像データサイズが第１サイズまたは第２サイズに設定されている場合は、第１実施形態と動作が共通する。そのため、以下の説明では、画像データサイズが第３サイズに設定されていることを前提とする。
第２実施形態で被写体の撮影が実行された場合、ＣＰＵ２２はデジタル処理部１６に対してトリミング処理命令を出力する。トリミング処理命令を受信すると、デジタル処理部１６は撮像素子１２から全画素読み出しされた画像データのうちで上から２８９行目から２０１６行目までのデータのみをメモリ２０に記録し、他の行のデータは削除する。したがって、デジタル処理部１６からは縦１７２８画素×横３０７２画素（アスペクト比９：１６）の画像データが出力されることとなる。その後、上記の画像データに色補間処理や圧縮処理などが施されて、第３サイズの本画像データが生成される。なお、色補間後の画像データはメモリ２０に一時的に記録される。
【００８９】
次に、ＣＰＵ２２は、縮小画像生成部１８に対して第１サムネイル画像、第２サムネイル画像、第１ビュー画像および第２ビュー画像の生成を指示する。縮小画像生成部１８は、メモリ２０に記録されている色補間後の画像データに対してアスペクト比を維持しつつ解像度変換を施して、第２サムネイル画像のデータと第２ビュー画像のデータとを生成する。
【００９０】
また、縮小画像生成部１８は、第２サムネイル画像の画像データサイズを調整して第１サムネイル画像のデータを生成する。具体的には、縮小画像生成部１８は、第２サムネイル画像の上下にそれぞれ縦１５画素×横１６０画素の黒色の余白データを付加する。こうして、縦１２０画素×横１６０画素（アスペクト比３：４）の第１サムネイル画像のデータが生成される。ここで、黒色のデータとはＲＧＢ各色の値が（Ｒ、Ｇ、Ｂ）＝（０、０、０）となるデータである。
【００９１】
同様に、縮小画像生成部１８は、第２ビュー画像の画像データサイズを調整して第１ビュー画像のデータを生成する。具体的には、縮小画像生成部１８は、第２ビュー画像の画像データサイズを縦１８０画素×横３２０画素（アスペクト比９：１６）に変換する。その後に、縮小画像生成部１８は、第２ビュー画像の上下にそれぞれ縦３０画素×横３２０画素の黒色の余白データを付加する。こうして、縦２４０画素×横３２０画素（アスペクト比３：４）の第１ビュー画像のデータが生成される。なお、第１サムネイル画像および第１ビュー画像には、本画像に対応する９：１６のアスペクト比の縮小画像が含まれることとなる。
【００９２】
そして、ＣＰＵ２２は、本画像のデータと、第１サムネイル画像のデータと、第２サムネイル画像のデータと、第１ビュー画像のデータと、第２ビュー画像のデータと、ヘッダ部のデータとを関連付けして１つの画像ファイルを生成する。第２実施形態のＣＰＵ２２は、第２サムネイル画像および第２ビュー画像が記録されていることを示す管理データや、各画像のアドレス情報（画像のデータと画像ファイル内のアドレスとの対応関係）などをヘッダ部に記録する。
【００９３】
次に、第２実施形態における再生モードの動作を説明する。特に第２実施形態では、電子カメラが外部の画像表示装置（テレビなど）に再生画像を表示させる例を説明する。
まず、ＣＰＵ２２は、画像表示装置に出力する表示画像のアスペクト比の設定を行う。例えば、ＣＰＵ２２は、操作部２８からのユーザーの入力に基づいて、表示画像のアスペクト比を３：４と９：１６とのいずれかに設定する。あるいは、ＣＰＵ２２は、ＨＤＴＶ出力部２６が画像表示装置と接続状態にある場合には、表示画像のアスペクト比を自動的に９：１６に設定するようにしてもよい。
【００９４】
そして、ユーザーのモード切り替え操作によって電子カメラが再生モードに設定されると、ＣＰＵ２２はＨＤＴＶ出力部２６またはＳＤＴＶ出力部２７を介してインデックス画面を画像表示装置に表示する。
ここで、画像データサイズの設定が第１サイズまたは第２サイズの場合、ＣＰＵ２２は上記第１実施形態と同様の方法でサムネイル画像のデータからサムネイル表示データを生成する。一方、画像データサイズの設定が第３サイズの場合、ＣＰＵ２２は管理データを参照して第２サムネイル画像を読み出す。そして、ＣＰＵ２２は第２サムネイル画像のデータに間引き処理を行って、アスペクト比が９：１６となるサムネイル表示データを生成する。なお、ＣＰＵ２２は、本画像の撮影姿勢のデータに基づいて、サムネイル表示データの縦横変換を必要に応じて実行する。
【００９５】
その後、ＣＰＵ２２は、上記のサムネイル表示データに基づいて、ＨＤＴＶ出力部２６またはＳＤＴＶ出力部２７のフレームメモリに画像を書き込む。そして、ＨＤＴＶ出力部２６またはＳＤＴＶ出力部２７は、画像表示装置のインデックス画面上で各々のサムネイル画像を表示する。この第２実施形態のインデックス画面は図６と同様の形式となる。
そして、拡大表示を行うサムネイル画像の指定入力があった場合には、ＣＰＵ２２は指定された画像に対応するビュー画像を単独でモニタ２５に拡大表示する。
【００９６】
ここで、表示画像のアスペクト比が９：１６に設定されている場合には、ＣＰＵ２２は以下のようにビュー画像を表示する。第１サイズまたは第２サイズに対応する画像ファイルの場合、ＣＰＵ２２は例えばビュー画像の左右に余白を付与するなどの手段で表示画像の画像サイズを調整する（なお、この場合の表示状態の図示は省略する）。
また、第３サイズに対応する画像ファイルの場合、ＣＰＵ２２は第２ビュー画像のデータを画像表示装置に出力する。なお、アスペクト比が９：１６の画像表示装置に第２ビュー画像を表示した状態は図７（ｅ）と同様の形式となる。第２ビュー画像のデータは上記のように画像表示装置の規格に最適化されているので、ＣＰＵ２２はアスペクト比が９：１６の画像表示装置にビュー画像を迅速に表示できる。しかも、第２ビュー画像の解像度は第１ビュー画像と比べて高いため、ユーザーは画像表示装置でより鮮明な画像を鑑賞することができる。
【００９７】
一方、表示画像のアスペクト比が３：４に設定されている場合には、ＣＰＵ２２は以下のようにビュー画像を表示する。第１サイズまたは第２サイズに対応する画像ファイルの場合、ＣＰＵ２２はビュー画像のデータに補間処理などを施して画像表示装置に出力する。この場合のビュー画像の表示形式は図７（ａ）、（ｃ）と同様になる。また、第３サイズに対応する画像ファイルの場合、ＣＰＵ２２は第１ビュー画像のデータに補間処理などを施して画像表示装置に出力する。なお、図１２（ａ）は、アスペクト比が３：４の画像表示装置に第１ビュー画像を横位置で表示した状態を示す。図１２（ｂ）は、アスペクト比が３：４の画像表示装置に第１ビュー画像を縦位置で表示した状態を示す。
【００９８】
また、第２実施形態において、第３サイズに対応する画像ファイルを他の画像再生装置で再生した場合を説明する。ここでは、第１実施形態と同様に、Ｅｘｉｆ規格とビュー画像の規格とに対応する一方で、上記した第３サイズでの画像表示をサポートしていない他の電子カメラでの再生を前提として説明を行う。
他の電子カメラでは、画像ファイル内にある第２サムネイル画像のデータおよび第２ビュー画像のデータを読み出すことができない。そのため、上記の画像ファイルを他の電子カメラで再生するときには、第１サムネイル画像のデータと第１ビュー画像のデータとが用いられることとなる。
【００９９】
図１３に、第２実施形態での他の電子カメラによるインデックス画面の表示例を示す。この図１３のインデックス画面で表示されるサムネイル画像（Ｔ１〜Ｔ１２）は、図６、図８のインデックス画面での同符号のサムネイル画像にそれぞれ対応する。図１３のインデックス画面におけるＴ４、Ｔ６、Ｔ９〜Ｔ１１は第１サムネイル画像である。Ｔ４、Ｔ６、Ｔ９〜Ｔ１１（第１サムネイル画像）には、本画像と同じアスペクト比の縮小画像が表示されることとなる。
【０１００】
また、他の電子カメラによる第１ビュー画像の表示を図１４に示す。図１４（ａ）は、他の電子カメラによって、アスペクト比が３：４の画像表示装置に第１ビュー画像を横位置で表示した状態を示す。図１４（ｂ）は、他の電子カメラによって、アスペクト比が３：４の画像表示装置に第１ビュー画像を縦位置で表示した状態を示す。
（第３実施形態の説明）
次に、第３実施形態の電子カメラによる撮影モードおよび再生モードでの動作をそれぞれ説明する。
【０１０１】
この第３実施形態の撮影モードでは、ＣＰＵ２２が一組の本画像ファイルおよび縮小画像ファイルを生成する。具体的には、ユーザーが本画像のアスペクト比を９：１６に設定して撮影を行った場合には、ＣＰＵ２２は第１本画像ファイルと、第１縮小画像ファイルとを生成する。また、ユーザーが本画像のアスペクト比を３：４に設定して撮影を行った場合には、ＣＰＵ２２は第２本画像ファイルと、第２縮小画像ファイルとを生成する。上記の第１縮小画像ファイルおよび第２縮小画像ファイルには、本画像の縮小画像がそれぞれ記録される。
【０１０２】
例えば、第２実施形態では、本画像のデータとともに高解像度の縮小画像のデータを１つの画像ファイル内に記録することが困難な場合もある。しかし、第３実施形態によれば、縮小画像ファイルに高解像度の縮小画像のデータを記録することで、上記第２実施形態と同様の効果を得ることができる。
図１５は、第１本画像ファイルと第１縮小画像ファイルとを模式的に示す図である。
【０１０３】
第１本画像ファイルには、第１本画像のデータと、第１サムネイル画像のデータと、第１ビュー画像のデータと、第１管理データとが含まれている。この第１本画像ファイルはＥｘｉｆ規格に準拠したデータ構造で各々のデータを記録している。
また、第１本画像はアスペクト比が９：１６に設定されている。一例として、図１５での第１本画像の画像データサイズは、縦１７２８画素×横３０７２画素（アスペクト比９：１６）に設定されている。
【０１０４】
第１サムネイル画像および第１ビュー画像は、縮小画像生成部１８によって第１本画像から生成される。第１サムネイル画像の画像データサイズは、Ｅｘｉｆ規格に準拠して縦１２０画素×横１６０画素（アスペクト比３：４）に設定されている。また、第１ビュー画像のデータサイズは、ＱＶＧＡに対応する縦２４０画素×横３２０画素（アスペクト比３：４）に設定されている。したがって、第１サムネイル画像および第１ビュー画像のデータは、各々の規格に対応した画像再生装置との互換性が確保されている。
【０１０５】
ここで、第１サムネイル画像および第１ビュー画像のアスペクト比は、第１本画像のアスペクト比と相違する。そのため、縮小画像生成部１８は以下の要領で第１サムネイル画像および第１ビュー画像を生成する。具体的には、第１サムネイル画像を生成する場合、縮小画像生成部１８は第１本画像のデータを縦９０画素×横１６０画素（アスペクト比９：１６）に縮小する。そして、縮小画像生成部１８は、上記の縮小画像の上下にそれぞれ縦１５画素×横１６０画素の黒色の余白データを付加して第１サムネイル画像のデータを生成する。
【０１０６】
同様に、第１ビュー画像を生成する場合、縮小画像生成部１８は第１本画像のデータを縦１８０画素×横３２０画素（アスペクト比９：１６）に縮小する。そして、縮小画像生成部１８は、上記の縮小画像の上下にそれぞれ縦３０画素×横３２０画素の黒色の余白データを付加して第１ビュー画像のデータを生成する。したがって、第１サムネイル画像および第１ビュー画像には、９：１６のアスペクト比で第１本画像を縮小した縮小画像が含まれることとなる。
【０１０７】
また、第１管理データは、第１本画像ファイルとは別に第１縮小画像ファイルが存在することを示すデータである。第３実施形態では、第１管理データには第１縮小画像ファイルのファイル名のデータが含まれている。第３実施形態では、各々の本画像ファイルにおいて、管理データを記録するアドレスは予め規定されている。なお、第１ビュー画像のデータと第１管理データとは、ＭａｋｅｒＮｏｔｅタグを利用して第１本画像ファイルに記録される。
【０１０８】
一方、第１縮小画像ファイルには、第２サムネイル画像のデータと、第２ビュー画像のデータとが含まれている。第１縮小画像ファイルの各画像は、専用の画像再生装置で表示するための画像である。そして、第２サムネイル画像および第２ビュー画像は、縮小画像生成部１８によって第１本画像から生成される。
ここで、第２サムネイル画像の画像データサイズは、縦９０画素×横１６０画素（アスペクト比９：１６）に設定されている。さらに、第２ビュー画像の画像データサイズは、縦３６０画素×横６４０画素（アスペクト比９：１６）に設定されている。また、第２サムネイル画像および第２ビュー画像のアスペクト比は、第１本画像とのアスペクト比と共通する。そのため、縮小画像生成部１８は、アスペクト比を変更することなく第１本画像を縮小して、第２サムネイル画像および第２ビュー画像のデータを生成することができる。なお、第２ビュー画像の画像データサイズは、画像表示装置の規格に準拠して最適化されたサイズとなっている。
【０１０９】
また、第１縮小画像ファイルには、第１本画像ファイルと関連性を示すファイル名がＣＰＵ２２によって付与される。一例として、ＣＰＵ２２は、第１縮小画像ファイルであることを示す名称と、関連性のある第１本画像ファイルのファイル名とを結合したファイル名を第１縮小画像ファイルに付与する。あるいは、ＣＰＵ２２は、第１本画像ファイルと第１縮小画像ファイルとのファイル名を共通化する一方で、両者の拡張子を相違させてもよい。この場合には、ＣＰＵ２２がファイル名によって上記の関連性を認識できる。また、ＣＰＵ２２は拡張子によって各々の画像ファイルを識別できる。
【０１１０】
図１６は、第２本画像ファイルと第２縮小画像ファイルとを模式的に示す図である。
第２本画像ファイルには、第２本画像のデータと、第３サムネイル画像のデータと、第３ビュー画像のデータと、第２管理データとが含まれている。この第２本画像ファイルはＥｘｉｆ規格に準拠したデータ構造で各々のデータを記録している。
また、第２本画像はアスペクト比が３：４に設定されている。一例として、図１６での第２本画像の画像データサイズは、縦２３０４画素×横３０７２画素（アスペクト比３：４）に設定されている。
【０１１１】
第３サムネイル画像および第３ビュー画像は、縮小画像生成部１８によって第２本画像から生成される。第３サムネイル画像の画像データサイズは、Ｅｘｉｆ規格に準拠して縦１２０画素×横１６０画素（アスペクト比３：４）に設定されている。また、第３ビュー画像のデータサイズは、ＱＶＧＡに対応する縦２４０画素×横３２０画素（アスペクト比３：４）に設定されている。したがって、第３サムネイル画像および第３ビュー画像のデータも、各々の規格に対応した画像再生装置との互換性が確保されている。また、第３サムネイル画像および第３ビュー画像のアスペクト比は、第２本画像とのアスペクト比と共通する。そのため、縮小画像生成部１８は、アスペクト比を変更することなく本画像を縮小して、第３サムネイル画像および第３ビュー画像のデータを生成することができる。
【０１１２】
また、第２管理データは、第２本画像ファイルとは別に第２縮小画像ファイルが存在することを示すデータである。第３実施形態では、第２管理データには第２縮小画像ファイルのファイル名のデータが含まれている。なお、第３ビュー画像のデータと第２管理データとは、ＭａｋｅｒＮｏｔｅタグを利用して第２本画像ファイルに記録される。
一方、第２縮小画像ファイルには、第４ビュー画像のデータと、第５サムネイル画像および第５ビュー画像とが含まれている。第２縮小画像ファイルの各画像は、専用の画像再生装置で表示するための画像である。そして、第４ビュー画像、第５サムネイル画像および第５ビュー画像は、縮小画像生成部１８によって第２本画像から生成される。
【０１１３】
ここで、第４ビュー画像の画像データサイズは、縦３６０画素×横６４０画素（アスペクト比９：１６）に設定されている。したがって、第２ビュー画像と同様に、第４ビュー画像の画像データサイズは画像表示装置の規格に準拠して最適化されている。また、第４ビュー画像のアスペクト比は、第２本画像とのアスペクト比と相違する。そのため、縮小画像生成部１８は以下の要領で第４ビュー画像を生成する。具体的には、縮小画像生成部１８は第２本画像のデータを縦３６０画素×横４８０画素（アスペクト比３：４）に縮小する。そして、縮小画像生成部１８は、上記の縮小画像の左右にそれぞれ縦３６０画素×横８０画素の黒色の余白データを付加して第４ビュー画像のデータを生成する。したがって、第４ビュー画像には、３：４のアスペクト比で第２本画像を縮小した縮小画像が含まれることとなる。
【０１１４】
第５サムネイル画像の画像データサイズは、第３サムネイル画像と同様に、縦１２０画素×横１６０画素（アスペクト比３：４）に設定されている。また、第５ビュー画像のデータサイズは、第３ビュー画像と同様に、縦２４０画素×横３２０画素（アスペクト比３：４）に設定されている。通常は、第５サムネイル画像および第５ビュー画像のデータは、第３サムネイル画像および第３ビュー画像と同一のデータが記録される。
【０１１５】
この第５サムネイル画像および第５ビュー画像は、専用の画像再生装置で高速な画像表示を行うために第２縮小画像ファイルに記録されている。第２本画像ファイルにはデータ量の大きな第２本画像が記録されているため、第３サムネイル画像や第３ビュー画像の読み出しに比較的時間がかかる。そのため、本実施形態では、データ量が少なく比較的短時間で読み出しが可能な第２縮小画像ファイルに第５サムネイル画像および第５ビュー画像を格納しておくことで、高速な画像表示を実現するものである。なお、第２本画像が縦位置で撮影された場合、縮小画像生成部１８は画像を予め縦横変換した状態で第５サムネイル画像および第５ビュー画像を生成してもよい（縦横変換した場合の図示は省略する）。
【０１１６】
また、上記の第２縮小画像ファイルには、第２本画像ファイルと関連性を示すファイル名がＣＰＵ２２によって付与される。なお、第２縮小画像ファイルのファイル名の付け方については、上記の第１縮小画像ファイルおよび第１本画像ファイルの場合と共通するので重複説明を省略する。
そして、第３実施形態の撮影モードでは、ＣＰＵ２２は本画像ファイルと縮小画像ファイルとをそれぞれ記録媒体３１の異なるフォルダに別々に記録する。具体的には、ＣＰＵ２２は、第１本画像ファイルと第２本画像ファイルとを第１フォルダに記録する。また、ＣＰＵ２２は、第１縮小画像ファイルと第２縮小画像ファイルとを第２フォルダに記録する。
【０１１７】
次に、第３実施形態における再生モードの動作を説明する。第３実施形態では、第２実施形態と同様に、電子カメラが外部の画像表示装置に再生画像を表示させる例を説明する。
ＣＰＵ２２は、画像表示装置に出力する表示画像のアスペクト比の設定を行う。例えば、ＣＰＵ２２は、操作部２８からのユーザーの入力に基づいて、表示画像のアスペクト比を３：４と９：１６とのいずれかに設定する。あるいは、ＨＤＴＶ出力部２６が画像表示装置と接続状態にある場合には、ＣＰＵ２２は表示画像のアスペクト比を自動的に９：１６に設定するようにしてもよい。
【０１１８】
そして、ユーザーのモード切り替え操作によって電子カメラが再生モードに設定されると、ＨＤＴＶ出力部２６またはＳＤＴＶ出力部２７を介して、ＣＰＵ２２はインデックス画面を画像表示装置に表示する。第３実施形態におけるインデックス画面の形式は図６と同様になる。さらに、ユーザーから拡大表示を行うサムネイル画像の指定入力があった場合には、ＣＰＵ２２は指定されたサムネイル画像に対応するビュー画像を画像表示装置に単独で拡大表示する。
【０１１９】
ここで、第３実施形態の電子カメラにおける再生モードでの画像データの読み込みを、図１７の流れ図を参照しつつ説明する。
ステップ３０１：ＣＰＵ２２は、記録媒体３１の第１フォルダにある本画像ファイル群から、表示対象の本画像ファイルを選択する。
ステップ３０２：ＣＰＵ２２は、画像表示装置のアスペクト比が９：１６に設定されているか否かを判定する。アスペクト比が９：１６に設定されている場合（ＹＥＳ側）にはＳ３０３に移行する。一方、アスペクト比が３：４に設定されている場合（ＮＯ側）にはＳ３０８に移行する。
【０１２０】
ステップ３０３：ＣＰＵ２２は、Ｓ３０１で表示対象に選択された本画像ファイル（第１本画像ファイルまたは第２本画像ファイル）から、管理データ（第１管理データまたは第２管理データ）を検索する。第３実施形態では本画像ファイルで管理データのアドレスが規定されているので、ＣＰＵ２２は管理データに直接アクセスできる。そのため、ＣＰＵ２２は、管理データの有無の判定および管理データの読み出しを迅速に行うことができる。
【０１２１】
ステップ３０４：ＣＰＵ２２は、Ｓ３０３での検索結果に基づいて、本画像ファイルに管理データがあるか否かを判定する。本画像ファイルに管理データがある場合（ＹＥＳ側）にはＳ３０５に移行する。一方、本画像ファイルに管理データがない場合（ＮＯ側）にはＳ３０８に移行する。なお、上記の場合としては、表示対象の画像ファイルが他の電子カメラで撮影された画像ファイルである場合などが該当する。
【０１２２】
ステップ３０５：ＣＰＵ２２は、表示対象として選択された本画像ファイルと関連性のある縮小画像ファイル（第１縮小画像ファイルまたは第２縮小画像ファイル）を記録媒体３１の第２フォルダから読み込む。具体的には、ＣＰＵ２２は、管理データに記録されている縮小画像ファイルのファイル名に基づいて、上記の縮小画像ファイルを検索する。
ステップ３０６：ＣＰＵ２２は、Ｓ３０５において縮小画像ファイルが読み込めたか（読込成功か）否かを判定する。読込成功の場合（ＹＥＳ側）にはＳ３０７に移行する。一方、縮小画像ファイルの破損または消去などで、縮小画像ファイルの読み込みに失敗した場合（ＮＯ側）にはＳ３０８に移行する。
【０１２３】
ステップ３０７：ＣＰＵ２２は、Ｓ３０５で読み込んだ縮小画像ファイルのサムネイル画像またはビュー画像のデータを画像表示装置に対して出力する。ここで、上記第１実施形態および第２実施形態の画像ファイルや本実施形態の本画像ファイルと比べると、縮小画像ファイルには本画像のデータがないのでデータ量が比較的小さくなる。そのため、第３実施形態の場合には本画像ファイルなどからの読み出しと比べて、ＣＰＵ２２は縮小画像ファイルから画像のデータを高速に読み出すことが可能となる。
【０１２４】
以下、ＣＰＵ２２がＳ３０５で第１縮小画像ファイルを読み込んだ場合を具体的に説明する。この場合には、インデックス画面の表示において、ＣＰＵ２２は、画像表示装置に対して第２サムネイル画像のデータを出力する。
また、拡大画像の表示において、ＣＰＵ２２は画像表示装置に対して第２ビュー画像のデータを出力する。第２ビュー画像のデータは上記のように画像表示装置の規格に最適化されているので、ＣＰＵ２２は画像表示装置に第２ビュー画像を迅速に表示できる。しかも、第２ビュー画像の解像度は第１ビュー画像と比べて高いため、ユーザーは画像表示装置でより鮮明な画像を鑑賞することができる。
【０１２５】
次に、ＣＰＵ２２がＳ３０５で第２縮小画像ファイルを読み込んだ場合を具体的に説明する。この場合には、インデックス画面の表示において、ＣＰＵ２２は、画像表示装置に対して第５サムネイル画像のデータを出力する。
また、拡大画像の表示において、ＣＰＵ２２は画像表示装置に対して第４ビュー画像のデータを出力する。第４ビュー画像のデータは上記のように画像表示装置の規格に最適化されているので、ＣＰＵ２２は画像表示装置に第４ビュー画像を迅速に表示できる。しかも、第４ビュー画像の解像度は第３ビュー画像と比べて高いため、ユーザーは画像表示装置でより鮮明な画像を鑑賞することができる。
【０１２６】
ステップ３０８：この場合は、（１）表示画像のアスペクト比の設定が３：４の場合、（２）他の電子カメラで撮影された画像ファイルを読み込む場合、（３）第２フォルダの縮小画像ファイルが破損しているか、あるいは消去されている場合、のいずれかに該当する。
このＳ３０８の場合には、ＣＰＵ２２はＥｘｉｆ規格に対応した画像ファイルからサムネイル画像およびビュー画像を読み出す。そして、ＣＰＵ２２は画像表示装置に対して各々の画像のデータを出力する。特に、第１本画像ファイルが表示対象となっている場合には、ＣＰＵ２２は画像表示装置に対して第１サムネイル画像および第１ビュー画像のデータを出力する。また、第２本画像ファイルが表示対象となっている場合には、ＣＰＵ２２は画像表示装置に対して第３サムネイル画像および第３ビュー画像のデータを出力する。以上で、図１７の流れ図の説明を終了する。
【０１２７】
なお、表示画像のアスペクト比の設定が３：４の場合にも、ＣＰＵ２２は本画像ファイルの画像よりも縮小画像ファイルの画像を優先して読み込むようにしてもよい。特に、拡大画像の表示において、ＣＰＵ２２が第２ビュー画像または第４ビュー画像のデータを加工して表示する場合には、第１ビュー画像または第３ビュー画像から拡大画像を生成する場合よりも表示装置に高解像度の画像が表示される。
【０１２８】
また、表示画像のアスペクト比の設定が３：４であって、第２本画像ファイルが表示対象である場合には、ＣＰＵ２２は第２縮小画像ファイルの第５サムネイル画像および第５ビュー画像のデータを画像表示装置に対して出力してもよい。この場合には、ＣＰＵ２２は第３ビュー画像のデータを本画像ファイルから読み出す場合よりも拡大画像を高速表示することができる。さらに、縦位置撮影の本画像を予め縦横変換して第５サムネイル画像および第５ビュー画像を生成した場合には、ＣＰＵ２２がこれらの各画像を直接読み出すことで再生時の縦横変換処理が不要となる。そのため、より高速な画像表示を行うことが可能となる。
【０１２９】
次に、第３実施形態の電子カメラで生成した画像ファイルを他の画像再生装置で再生した場合を説明する。ここでは、Ｅｘｉｆ規格とビュー画像の規格とに対応する一方で、上記の縮小画像ファイルをサポートしていない他の電子カメラでの再生を前提として説明を行う。
他の電子カメラにおいて、第１本画像ファイルおよび第２本画像ファイルのデータはＥｘｉｆ規格に準拠しているので読み出し可能である。一方で、他の電子カメラでは、第１管理データおよび第２管理データを読み取ることができない。そのため、他の電子カメラでは、本画像ファイルを再生するときに、各々の本画像ファイルと関連性のある第１縮小画像ファイルおよび第２縮小画像ファイルを読み出すことはできない。
【０１３０】
そのため、他の電子カメラで各々の本画像ファイルを再生するときには、本画像ファイルに記録されているサムネイル画像（第１サムネイル画像または第３サムネイル画像）およびビュー画像（第１ビュー画像または第３ビュー画像）が用いられることとなる。なお、上記のサムネイル画像およびビュー画像は、各々の規格に準拠したアスペクト比３：４の状態で表示装置にそれぞれ表示される。
【０１３１】
（実施形態の補足事項）
（１）上記実施形態では電子カメラで画像の再生を行う例を説明した。しかし、本発明では、第１実施形態の画像表示サイズのデータに基づいて、画像ファイルを再生する機能を備える再生専用装置（ビューアー）や、画像再生プログラムを実行する汎用コンピュータで、上記実施形態の電子カメラと同様な画像再生装置を構成してもよい。
【０１３２】
また、第２実施形態の第２サムネイル画像または第２ビュー画像に基づいて、画像ファイルの画像を再生する再生専用装置や画像再生プログラムを実行する汎用コンピュータで、同様の画像再生装置を構成してもよい。
（２）本発明での撮像素子１２のアスペクト比と画像データのアスペクト比の関係は、上記実施形態の例には限定されない。例えば、撮像素子１２のアスペクト比が９：１６で、３：４の画像を生成する場合にも本発明を応用することが可能である。
【０１３３】
（３）上記実施形態の電子カメラの構成はあくまで一例にすぎない。例えば、デジタル処理部１６、色補間処理部１７、縮小画像生成部１８、圧縮伸張処理部１９などの機能を統合した専用回路（ＡＳＩＣ）を電子カメラに設けて、このＡＳＩＣで画像ファイルの生成処理を行うようにしてもよい。また、上記実施形態では、補間処理および間引き処理をＣＰＵ２２が実行する例を説明したが、上記処理をデジタル処理部１６や縮小画像生成部１８などが負担するようにしてもよい。
【０１３４】
（４）第２実施形態において、第３サイズに対応する画像ファイルのヘッダ部には、必ずしも管理データを記録する必要はない。例えば、第２サムネイル画像および第２ビュー画像を配置するアドレスを画像ファイル内で予め決定しておき、このアドレスに画像データがあるか否かで画像再生装置が画像ファイルの種類を判定するようにしてもよい。
（５）第２実施形態において、第２ビュー画像の画像データサイズを縦７２０画素×横１２８０画素（アスペクト比９：１６）に設定してもよい。
【０１３５】
（６）第２実施形態では、第３サイズの撮像の場合にはデジタル処理部１６でトリミング処理をする例を説明したがこれに限らない。例えば、第２実施形態で第３サイズでの撮影を行う場合には、撮像素子１２から予め所定範囲の画像信号のみを部分読みだしで読み出すようにしてもよい。あるいは、本画像データのトリミング処理をＣＰＵ２２で行い、第２サムネイル画像データと第２ビュー画像データのトリミング処理は縮小画像生成部１８で行うようにしてもよい。なお、この場合は、縮小画像生成部１８が、第１サムネイル画像データと第１ビュー画像データの余白部分を黒色に変換する処理を行えばよい。
【０１３６】
（７）第３実施形態において、各々の本画像ファイルと縮小画像ファイルとの関連付けは実施形態に示した方式に限定されることはない。例えば、第３実施形態において、ＣＰＵ２２は、複数の本画像ファイルおよび縮小画像ファイルを別々のフォルダに分けることなく、すべて同一のフォルダに記録してもよい。
また、第３実施形態において、ＣＰＵ２２は、縮小画像ファイルの格納場所を示すパスデータを本画像ファイルの管理データに記録するようにしてもよい。この場合には、本画像ファイルと縮小画像ファイルとのファイル名に関連性を持たせなくとも、上記実施形態と同様の効果を得ることができる。
【０１３７】
また、第３実施形態において、ＣＰＵ２２は、本画像ファイルと縮小画像ファイルとのペアごとにフォルダを生成し、本画像ファイルと縮小画像ファイルとのペアを同一のフォルダに記録してもよい。この場合には、各々のフォルダによって本画像ファイルと縮小画像ファイルとの関連付けが行われる。
さらに、第３実施形態において、ＣＰＵ２２は本画像ファイルと縮小画像ファイルとを別々のフォルダに記録する一方で、本画像ファイルから管理データを省略するようにしてもよい。そして、ＣＰＵは、縮小画像ファイルに本画像ファイルと関連性のあるファイル名を付与する。この場合、ＣＰＵ２２は、再生時には第２フォルダを直接参照して各々の画像の再生を行う。そして、画像印刷などで本画像のデータを参照する場合には、ＣＰＵ２２は、ファイル名に基づいて第１フォルダの本画像ファイルにアクセスすればよい。
【図面の簡単な説明】
【０１３８】
【図１】第１実施形態の電子カメラの構成を示すブロック図
【図２】第１実施形態の画像サイズテーブルの一例を示す図
【図３】第１サイズおよび第３サイズの各画像を模式的に示す図
【図４】電子カメラの撮影モードでの動作の一例を示す流れ図
【図５】電子カメラの再生モードでの動作の一例を示す流れ図
【図６】第１実施形態でのインデックス画面の一例を示す図
【図７】ビュー画像の表示例を示す図
【図８】第１実施形態での他の電子カメラによるインデックス画面の表示例を示す図
【図９】他の電子カメラによるビュー画像の表示例を示す図
【図１０】第２実施形態の画像サイズテーブルの一例を示す図
【図１１】第２実施形態での第３サイズの各画像を模式的に示す図
【図１２】アスペクト比が３：４の画像表示装置に第１ビュー画像を表示した状態を示す図
【図１３】第２実施形態での他の電子カメラによるインデックス画面の表示例を示す図
【図１４】他の電子カメラにおいて、アスペクト比が３：４の画像表示装置に第１ビュー画像を表示した状態を示す図
【図１５】第３実施形態での第１本画像ファイルと第１縮小画像ファイルとを示す模式図
【図１６】第３実施形態での第２本画像ファイルと第２縮小画像ファイルとを示す模式図
【図１７】第３実施形態の再生モードにおける画像データの読み込みを説明する流れ図
【符号の説明】
【０１３９】
１１…撮影光学系、１２…撮像素子、１３…アナログ処理部、１４…Ａ／Ｄ変換部、１６…デジタル処理部、１７…色補間処理部、１８…縮小画像生成部、２２…ＣＰＵ、２３…記録Ｉ／Ｆ、２５…モニタ、２６…ＨＤＴＶ出力部、２７…ＳＤＴＶ出力部、２８…操作部、３１…記録媒体
【図１】
2007274661.tif 000003
【図２】
2007274661.tif 000004
【図３】
2007274661.tif 000005
【図４】
2007274661.tif 000006
【図５】
2007274661.tif 000007
【図６】
2007274661.tif 000008
【図７】
2007274661.tif 000009
【図８】
2007274661.tif 000010
【図９】
2007274661.tif 000011
【図１０】
2007274661.tif 000012
【図１１】
2007274661.tif 000013
【図１２】
2007274661.tif 000014
【図１３】
2007274661.tif 000015
【図１４】
2007274661.tif 000016
【図１５】
2007274661.tif 000017
【図１６】
2007274661.tif 000018
【図１７】
2007274661.tif 000019